(57)【特許請求の範囲】
【請求項１】
第１のｅノードＢにおけるワイヤレス通信の方法であって、
前記第１のｅノードＢとユーザ機器（ＵＥ）との間の第１の接続を確立すること、ここにおいて、前記第１の接続は、前記ＵＥとネットワークとの間のトラフィックを搬送する、と、
前記ＵＥと第２のｅノードＢとの間に第２の接続が存在する、または保留中であることを決定すること、ここで、前記第２の接続は、前記ＵＥが前記第１のｅノードＢに接続される間に前記ＵＥと前記ネットワークとの間の前記トラフィックの一部分を搬送するために追加無線リソースを提供する、と、
前記第２のｅノードＢのローカルゲートウェイについてのネットワークアドレスを、前記ＵＥのための選択されたインターネットプロトコルトラフィックオフロード（ＳＩＰＴＯ）接続性に関連付けるメッセージを、前記決定することに少なくとも部分的に基づいて、モビリティ管理エンティティ（ＭＭＥ）に送信すること、ここにおいて、前記第１のｅノードＢによる前記メッセージの前記送信は、前記第２のｅノードＢの前記ローカルゲートウェイを通して前記ＵＥと前記ネットワークとの間の前記トラフィックの前記一部分をオフロードするために前記ＭＭＥがＳＩＰＴＯ接続をセットアップすることを可能にする、と、
を備える方法。
【請求項２】
前記第２のｅノードＢに関連付けられた前記ローカルゲートウェイの前記ネットワークアドレスは、Ｓ１メッセージにより前記モビリティ管理エンティティにフォワーディングされる、請求項１に記載の方法。
【請求項３】
前記第１のｅノードＢに関連付けられたローカルゲートウェイのネットワークアドレスを、前記Ｓ１メッセージのゲートウェイのトランスポートレイヤアドレスの情報要素中の、前記第２のｅノードＢに関連付けられた前記ローカルゲートウェイの前記ネットワークアドレスで置き換えることをさらに備える、請求項２に記載の方法。
【請求項４】
前記Ｓ１メッセージは、前記第１のｅノードＢに関連付けられたローカルゲートウェイのネットワークアドレスをさらに備える、請求項２に記載の方法。
【請求項５】
前記第１のｅノードＢにおいてＳＩＰＴＯパケットデータネットワーク（ＰＤＮ）接続を非アクティブ化することをさらに備える、請求項１に記載の方法。
【請求項６】
前記ＳＩＰＴＯ  ＰＤＮ接続は、前記ＵＥと前記第２のｅノードＢとの間に前記接続が存在すると決定したことに応答して非アクティブ化される、請求項５に記載の方法。
【請求項７】
前記第１のｅノードＢにおける前記ＳＩＰＴＯ  ＰＤＮ接続の前記非アクティブ化は、前記ＵＥの場所の変化に応答する、請求項５に記載の方法。
【請求項８】
前記ＳＩＰＴＯ  ＰＤＮ接続を非アクティブ化することに関連して、ベアラ非アクティブ化要求メッセージを送信し、ここにおいて、前記ベアラ非アクティブ化要求メッセージは再アクティブ化要求を備えることをさらに備える、請求項５に記載の方法。
【請求項９】
前記ＳＩＰＴＯ  ＰＤＮ接続は、Ｓ１インターフェースを介して送信されるＥ−ＲＡＢ解放メッセージにより非アクティブ化される、請求項５に記載の方法。
【請求項１０】
前記ＳＩＰＴＯ  ＰＤＮ接続は、Ｓ５インターフェースを介して送信されるベアラ削除要求メッセージにより非アクティブ化される、請求項５に記載の方法。
【請求項１１】
モビリティ管理エンティティ（ＭＭＥ）においてワイヤレス通信を管理する方法であって、
ユーザ機器（ＵＥ）に接続された第１のｅノードＢから、前記ＵＥのためのパケットデータネットワーク（ＰＤＮ）接続を確立するための要求および前記ＵＥのための選択されたインターネットプロトコルトラフィックオフロード（ＳＩＰＴＯ）接続性を提供するためのネットワークアドレスのリストを受信すること、ここにおいて、ネットワークアドレスの前記リストは、前記第１のｅノードＢの第１のローカルゲートウェイについての第１のネットワークアドレスおよび第２のｅノードＢの第２のローカルゲートウェイについての第２のネットワークアドレスを前記ＵＥためのＳＩＰＴＯ接続性に関連付け、ここにおいて、前記ＵＥと前記第１のｅノードＢとの間の第１の接続は、前記ＵＥとネットワークとの間のトラフィックを搬送し、ここにおいて、前記ＵＥと前記第２のｅノードＢとの間の第２の接続は、前記ＵＥが前記第１のｅノードＢに接続される間に前記ＵＥと前記ネットワークとの間の前記トラフィックの一部分を搬送するために追加無線リソースを提供する、と、
前記ＵＥについての記憶された加入情報のセットに基づいて、選択されたインターネットプロトコルトラフィックオフロード（ＳＩＰＴＯ）が前記ＵＥについて許可されるかどうか決定することと、
前記第１のｅノードＢから前記要求を受信することに応答して、および前記ＳＩＰＴＯが前記ＵＥについて許可されるという前記決定に応答して、前記ＰＤＮ接続用の前記ＳＩＰＴＯを実装するための、前記第２のローカルゲートウェイを選択することと、
前記第２のｅノードＢの前記第２のローカルゲートウェイを通して前記ＵＥと前記ネットワークとの間の前記トラフィックの前記一部分をオフロードするために前記第２のｅノードＢにおいて前記ＰＤＮ接続用の前記ＳＩＰＴＯをセットアップすることと、
を備える方法。
【請求項１２】
前記ＵＥが前記第２のｅノードＢに接続されると決定したことに応答して、前記ＵＥの少なくとも１つの他のＳＩＰＴＯ  ＰＤＮ接続を非アクティブ化することをさらに備える、請求項１１に記載の方法。
【請求項１３】
前記ＵＥの前記少なくとも１つの他のＳＩＰＴＯ  ＰＤＮ接続は、前記第１のローカルゲートウェイまたは第３のｅノードＢに関連付けられた第３のローカルゲートウェイのうちの１つを通してルーティングされる、請求項１２に記載の方法。
【請求項１４】
ワイヤレス通信のための第１のｅノードＢであって、
プロセッサと、
前記プロセッサと電子的に通信するメモリと、
前記メモリに記憶された命令とを備え、前記命令は、
前記第１のｅノードＢとユーザ機器（ＵＥ）との間の第１の接続を確立すること、ここにおいて、前記第１の接続は、前記ＵＥとネットワークとの間のトラフィックを搬送する、と、
前記ＵＥと第２のｅノードＢとの間に第２の接続が存在する、または保留中であることを決定すること、ここで、前記第２の接続は、前記ＵＥが前記第１のｅノードＢに接続される間に前記ＵＥと前記ネットワークとの間の前記トラフィックの一部分を搬送するために追加無線リソースを提供する、と、
前記第２のｅノードＢのローカルゲートウェイについてのネットワークアドレスを、前記ＵＥのための選択されたインターネットプロトコルトラフィックオフロード（ＳＩＰＴＯ）接続性に関連付けるメッセージを、前記決定することに少なくとも部分的に基づいて、モビリティ管理エンティティ（ＭＭＥ）に送信すること、ここにおいて、前記第１のｅノードＢによる前記メッセージの前記送信は、前記第２のｅノードＢの前記ローカルゲートウェイを通して前記ＵＥと前記ネットワークとの間の前記トラフィックの前記一部分をオフロードするために前記ＭＭＥがＳＩＰＴＯ接続をセットアップすることを可能にする、と、
を行うように前記プロセッサによって実行可能である、第１のｅノードＢ。
【請求項１５】
前記第２のｅノードＢに関連付けられた前記ローカルゲートウェイの前記ネットワークアドレスは、Ｓ１メッセージにより前記モビリティ管理エンティティにフォワーディングされる、請求項１４に記載の第１のｅノードＢ。
【請求項１６】
前記命令は、
前記第１のｅノードＢに関連付けられたローカルゲートウェイのネットワークアドレスを、前記Ｓ１メッセージのゲートウェイのトランスポートレイヤアドレスの情報要素中の、前記第２のｅノードＢに関連付けられた前記ローカルゲートウェイの前記ネットワークアドレスで置き換えることを行うように前記プロセッサによって実行可能である、請求項１５に記載の第１のｅノードＢ。
【請求項１７】
前記Ｓ１メッセージは、前記第１のｅノードＢに関連付けられたローカルゲートウェイのネットワークアドレスをさらに備える、請求項１５に記載の第１のｅノードＢ。
【請求項１８】
前記命令は、
前記第１のｅノードＢにおいてＳＩＰＴＯパケットデータネットワーク（ＰＤＮ）接続を非アクティブ化することを行うように前記プロセッサによって実行可能である、請求項１４に記載の第１のｅノードＢ。
【請求項１９】
前記ＳＩＰＴＯ  ＰＤＮ接続は、前記ＵＥと前記第２のｅノードＢとの間に前記接続が存在すると決定したことに応答して非アクティブ化される、請求項１８に記載の第１のｅノードＢ。
【請求項２０】
前記第１のｅノードＢにおける前記ＳＩＰＴＯ  ＰＤＮ接続の前記非アクティブ化は、前記ＵＥの場所の変化に応答する、請求項１８に記載の第１のｅノードＢ。
【請求項２１】
前記命令は、
前記ＳＩＰＴＯ  ＰＤＮ接続を非アクティブ化することに関連して、ベアラ非アクティブ化要求メッセージを送信し、ここにおいて、前記ベアラ非アクティブ化要求メッセージは再アクティブ化要求を備えることを行うように前記プロセッサによって実行可能である、請求項１８に記載の第１のｅノードＢ。
【請求項２２】
前記ＳＩＰＴＯ  ＰＤＮ接続は、Ｓ１インターフェースを介して送信されるＥ−ＲＡＢ解放メッセージにより非アクティブ化される、請求項１８に記載の第１のｅノードＢ。
【請求項２３】
前記ＳＩＰＴＯ  ＰＤＮ接続は、Ｓ５インターフェースを介して送信されるベアラ削除要求メッセージにより非アクティブ化される、請求項１８に記載の第１のｅノードＢ。
【請求項２４】
ワイヤレス通信を管理するためのモビリティ管理エンティティ（ＭＭＥ）であって、
プロセッサと、
前記プロセッサと電子的に通信するメモリと、
前記メモリに記憶された命令とを備え、前記命令は、
ユーザ機器（ＵＥ）に接続された第１のｅノードＢから、前記ＵＥのためのパケットデータネットワーク（ＰＤＮ）接続を確立するための要求および前記ＵＥのための選択されたインターネットプロトコルトラフィックオフロード（ＳＩＰＴＯ）接続性を提供するためのネットワークアドレスのリストを受信すること、ここにおいて、ネットワークアドレスの前記リストは、前記第１のｅノードＢの第１のローカルゲートウェイについての第１のネットワークアドレスおよび第２のｅノードＢの第２のローカルゲートウェイについての第２のネットワークアドレスを前記ＵＥためのＳＩＰＴＯ接続性に関連付け、ここにおいて、前記ＵＥと前記第１のｅノードＢとの間の第１の接続は、前記ＵＥとネットワークとの間のトラフィックを搬送し、ここにおいて、前記ＵＥと前記第２のｅノードＢとの間の第２の接続は、前記ＵＥが前記第１のｅノードＢに接続される間に前記ＵＥと前記ネットワークとの間の前記トラフィックの一部分を搬送するために追加無線リソースを提供する、と、
前記ＵＥについての記憶された加入情報のセットに基づいて、選択されたインターネットプロトコルトラフィックオフロード（ＳＩＰＴＯ）が前記ＵＥについて許可されるかどうか決定することと、
前記第１のｅノードＢから前記要求を受信することに応答して、および前記ＳＩＰＴＯが前記ＵＥについて許可されるという前記決定に応答して、前記ＰＤＮ接続用の前記ＳＩＰＴＯを実装するための、前記第２のローカルゲートウェイを選択することと、
前記第２のｅノードＢの前記第２のローカルゲートウェイを通して前記ＵＥと前記ネットワークとの間の前記トラフィックの前記一部分をオフロードするために前記第２のｅノードＢにおいて前記ＰＤＮ接続用の前記ＳＩＰＴＯをセットアップすることと、
を行うように前記プロセッサによって実行可能である、ＭＭＥ。
【請求項２５】
前記命令は、
前記ＵＥが前記第２のｅノードＢに接続されると決定したことに応答して、前記ＵＥの少なくとも１つの他のＳＩＰＴＯ  ＰＤＮ接続を非アクティブ化することを行うように前記プロセッサによって実行可能である、請求項２４に記載のＭＭＥ。
【請求項２６】
前記ＵＥの前記少なくとも１つの他のＳＩＰＴＯ  ＰＤＮ接続は、前記第１のローカルゲートウェイまたは第３のｅノードＢに関連付けられた第３のローカルゲートウェイのうちの１つを通してルーティングされる、請求項２５に記載のＭＭＥ。
【発明の詳細な説明】
【技術分野】
【０００１】
相互参照
[0001]本特許出願は、本出願の譲受人に各々が譲渡される、２０１４年７月１６日に出願した、Ｈｏｒｎらによる米国特許出願第１４／３３３，２３６号「Ｔｅｃｈｎｉｑｕｅｓ  ｆｏｒ  Ｓｅｌｅｃｔｅｄ  Ｉｎｔｅｒｎｅｔ  Ｐｒｏｔｏｃｏｌ  Ｔｒａｆｆｉｃ  Ｏｆｆｌｏａｄ  Ｓｕｐｐｏｒｔ  ａｔ  ａｎ  Ａｓｓｉｓｔｉｎｇ  ｅＮｏｄｅＢ」、および２０１３年７月２６日に出願した、Ｈｏｒｎらによる、「Ｍｅｔｈｏｄ  Ａｎｄ  Ａｐｐａｒａｔｕｓ  Ｆｏｒ  Ｓｅｌｅｃｔｅｄ  Ｉｎｔｅｒｎｅｔ  Ｐｒｏｔｏｃｏｌ  Ｔｒａｆｆｉｃ  Ｏｆｆｌｏａｄ  （ＳＩＰＴＯ）  Ｓｕｐｐｏｒｔ  Ａｔ  Ａｎ  Ａｓｓｉｓｔｉｎｇ  ｅＮｏｄｅＢ」と題する米国仮特許出願第６１／８５９，０４０号に対する優先権を主張する。
【０００２】
[0002]本開示は概して、ワイヤレス通信に関し、より詳細には、ワイヤレス通信のための選択されたインターネットプロトコルトラフィックオフロード（ＳＩＰＴＯ）に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。ダウンリンク（または順方向リンク）とは、ｅノードＢまたは他の基地局からユーザ機器（ＵＥ）への通信リンクを指し、アップリンク（または逆方向リンク）とは、ＵＥからｅノードＢまたは他の基地局への通信リンクを指す。各基地局は、カバレージ範囲を有し、それはセルのカバレージエリアと呼ばれ得る。
【０００５】
[0005]ＵＥとコアネットワークとの間のトラフィックは、定義された最小サービス品質（ＱｏＳ）を有するベアラを介して伝えられ得、それは、セルラー無線アクセスネットワークによって強制される。いくつかのシステムでは、ｅノードＢは、コアネットワークではなくローカルゲートウェイを通してベアラトラフィックの少なくとも一部分をＵＥとの間でオフロードすることによって、ユーザプレーンスループットを増大させることが可能であり得る。ただし、そのようなオフローディングを、複数のｅノードＢが単一のＵＥと通信するシステムにおいて実装するための技法はまだ開発されていない。
【発明の概要】
【０００６】
[0006]記載される特徴は概して、複数のｅノードＢが、単一のＵＥと通信するために互いと協調するシステム向けの、選択されたインターネットプロトコルトラフィックオフロード（ＳＩＰＴＯ）を実装するための技法について述べる。説明される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【０００７】
[0007]例示的実施形態の第１のセットによると、ワイヤレス通信の方法は、第１のｅノードＢとユーザ機器（ＵＥ）との間の接続を確立することと、ＵＥと第２のｅノードＢとの間に接続が存在するのか、それとも保留中であるのかを決定することと、第２のｅノードＢのローカルゲートウェイについてのネットワークアドレスを、ＵＥのための選択されたインターネットプロトコルトラフィックオフロード（ＳＩＰＴＯ）接続性に関連付けるメッセージをモビリティ管理エンティティ（ＭＭＥ）に送信することとを含み得る。
【０００８】
[0008]いくつかの例において、第２のｅノードＢに関連付けられたローカルゲートウェイのネットワークアドレスは、Ｓ１メッセージによりモビリティ管理エンティティにフォワーディングされる。第１のｅノードＢに関連付けられたローカルゲートウェイのネットワークアドレスは、Ｓ１メッセージのゲートウェイのトランスポートレイヤアドレスの情報要素中の、第２のｅノードＢに関連付けられたローカルゲートウェイのネットワークアドレスで置き換えられ得る。Ｓ１メッセージは、第１のｅノードＢに関連付けられたローカルゲートウェイのネットワークアドレスをさらに含み得る。
【０００９】
[0009]いくつかの例において、ＳＩＰＴＯパケットデータネットワーク（ＰＤＮ）接続が、第１のｅノードＢにおいて非アクティブ化され得る。ＳＩＰＴＯ  ＰＤＮ接続は、ＵＥと第２のｅノードＢとの間に接続が存在すると決定したことに応答して非アクティブ化され得る。第１のｅノードＢにおけるＳＩＰＴＯ  ＰＤＮ接続の非アクティブ化は、いくつかの例では、ＵＥの場所の変化に応答してよい。ＳＩＰＴＯ  ＰＤＮ接続を非アクティブ化することに関連して、ベアラ非アクティブ化要求メッセージが送信され得る。ベアラ非アクティブ化要求メッセージは、再アクティブ化要求を含み得る。ＳＩＰＴＯ  ＰＤＮ接続は、追加または代替の例において、Ｓ１インターフェースを介して送信されるＥ−ＲＡＢ解放メッセージにより非アクティブ化され得る。ＳＩＰＴＯ  ＰＤＮ接続は、追加または代替の例において、Ｓ５インターフェースを介して送信されるベアラ削除要求メッセージにより非アクティブ化され得る。
【００１０】
[0010]いくつかの例において、ＵＥと第２のｅノードＢとの間に接続が存在するのか、それとも保留中であるのかを決定することは、ＵＥについてデータが第２のｅノードＢから受信中であるかどうか決定すること、ＵＥと第２のｅノードＢとの間の接続を確立するための要求をＵＥに送信すること、またはＵＥが接続を確立したという指示を第２のｅノードＢから受信することのうちの少なくとも１つを含み得る。ＵＥと第２のｅノードＢとの間の接続を確立するために送信される要求は、第３のｅノードＢから第２のｅノードＢへのＵＥのハンドオーバに少なくとも部分的に基づき得る。追加または代替として、ＵＥと第２のｅノードＢとの間の接続を確立するために送信される要求は、第１のｅノードＢによって与えられる命令に少なくとも部分的に基づき得る。
【００１１】
[0011]いくつかの例において、第２のｅノードＢのローカルゲートウェイについてのネットワークアドレスは、Ｘ２インターフェースを介して第１のｅノードＢと第２のｅノードＢとの間で交換される共通制御メッセージ、Ｘ２インターフェースを介して第１のｅノードＢと第２のｅノードＢとの間で交換される専用制御メッセージ、ＯＡＭサーバからのオペレーション、アドミニストレーションおよびマネジメント（ＯＡＭ）メッセージ、ならびにモビリティ管理エンティティにより第１のｅノードＢと第２のｅノードＢとの間で交換されるＳ１制御メッセージのうちの少なくとも１つに基づいて決定され得る。
【００１２】
[0012]例示的実施形態の第２のセットによると、ワイヤレス通信を管理するための装置は、少なくとも１つのプロセッサと、少なくとも１つのプロセッサと通信可能に結合されたメモリとを含み得る。少なくとも１つのプロセッサは、第１のｅノードＢとユーザ機器（ＵＥ）との間の接続を確立し、ＵＥと第２のｅノードＢとの間に接続が存在するのか、それとも保留中であるのかを決定し、第２のｅノードＢのローカルゲートウェイについてのネットワークアドレスを、ＵＥのための選択されたインターネットプロトコルトラフィックオフロード（ＳＩＰＴＯ）接続性に関連付けるメッセージをモビリティ管理エンティティ（ＭＭＥ）に送信するための、メモリ上に記憶されたコードを実行するように構成され得る。
【００１３】
[0013]いくつかの例において、少なくとも１つのプロセッサは、上述した例示的実施形態の第１のセットの１つまたは複数の態様を実装するための、メモリ上に記憶されたコードを実行するように構成され得る。
【００１４】
[0014]例示的実施形態の第３のセットによると、ワイヤレス通信を管理するための装置は、第１のｅノードＢとユーザ機器（ＵＥ）との間の接続を確立するための手段と、ＵＥと第２のｅノードＢとの間に接続が存在するのか、それとも保留中であるのかを決定するための手段と、第２のｅノードＢのローカルゲートウェイについてのネットワークアドレスを、ＵＥのための選択されたインターネットプロトコルトラフィックオフロード（ＳＩＰＴＯ）接続性に関連付けるメッセージをモビリティ管理エンティティ（ＭＭＥ）に送信するための手段とを含み得る。
【００１５】
[0015]いくつかの例において、装置は、上述した例示的実施形態の第１のセットの１つまたは複数の態様を実装するための手段を含み得る。
【００１６】
[0016]例示的な実施形態の第４のセットによると、コンピュータプログラム製品は、コンピュータ可読コードを有する非一時的コンピュータ可読媒体を含み得る。コンピュータ可読コードは、少なくとも１つのプロセッサに、第１のｅノードＢとユーザ機器（ＵＥ）との間の接続を確立させ、ＵＥと第２のｅノードＢとの間に接続が存在するのか、それとも保留中であるのかを決定させ、第２のｅノードＢのローカルゲートウェイについてのネットワークアドレスを、ＵＥのための選択されたインターネットプロトコルトラフィックオフロード（ＳＩＰＴＯ）接続性に関連付けるメッセージをモビリティ管理エンティティ（ＭＭＥ）へ送信させるように構成され得る。
【００１７】
[0017]いくつかの例において、コンピュータ可読コードは、少なくとも１つのプロセッサに、上述した例示的実施形態の第１のセットの１つまたは複数の態様を実装させるように構成され得る。
【００１８】
[0018]例示的実施形態の第５のセットによると、ワイヤレス通信を管理する方法は、モビリティ管理エンティティ（ＭＭＥ）において、ユーザ機器（ＵＥ）のためのパケットデータネットワーク（ＰＤＮ）接続を確立するための要求を受信することと、ＵＥについての記憶された加入情報のセットに基づいて、選択されたインターネットプロトコルトラフィックオフロード（ＳＩＰＴＯ）がＵＥについて許可されるかどうか決定することと、第１のｅノードＢに関連付けられた第１のローカルゲートウェイの第１のネットワークアドレスと第２のｅノードＢに関連付けられた第２のローカルゲートウェイの第２のネットワークアドレスとを決定することと、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択することとを含み得る。
【００１９】
[0019]いくつかの例において、ＵＥの少なくとも１つの他のＳＩＰＴＯ  ＰＤＮ接続は、ＵＥが第２のｅノードＢに接続したと決定したことに応答して非アクティブ化され得る。ＵＥの少なくとも１つの他のＳＩＰＴＯ  ＰＤＮ接続は、第１のローカルゲートウェイまたは第３のｅノードＢに関連付けられた第３のローカルゲートウェイのうちの１つを通してルーティングされ得る。
【００２０】
[0020]いくつかの例において、第１のｅノードＢまたは第２のｅノードＢのうちの１つからの利用可能なＳＩＰＴＯネットワークアドレスのリストが受信され得る。利用可能なＳＩＰＴＯネットワークアドレスのリストは、第１のネットワークアドレスと第２のネットワークアドレスとを含み得る。
【００２１】
[0021]いくつかの例において、第１のローカルゲートウェイおよび第２のローカルゲートウェイについてのネットワークアドレスは、ＵＥについての加入情報、ネットワークポリシーまたはネットワークアドレスのタイプのうちの少なくとも１つに基づいて決定され得る。
【００２２】
[0022]例示的実施形態の第６のセットによると、ワイヤレス通信を管理するための装置は、少なくとも１つのプロセッサと、少なくとも１つのプロセッサと通信可能に結合されたメモリとを含み得る。少なくとも１つのプロセッサは、ユーザ機器（ＵＥ）のためのパケットデータネットワーク（ＰＤＮ）接続を確立するための要求を受信し、ＵＥについての記憶された加入情報のセットに基づいて、選択されたインターネットプロトコルトラフィックオフロード（ＳＩＰＴＯ）がＵＥについて許可されるかどうか決定し、第１のｅノードＢに関連付けられた第１のローカルゲートウェイの第１のネットワークアドレスと第２のｅノードＢに関連付けられた第２のローカルゲートウェイの第２のネットワークアドレスとを決定し、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択するための、メモリ上に記憶されたコードを実行するように構成され得る。
【００２３】
[0023]いくつかの例において、少なくとも１つのプロセッサは、上述した例示的実施形態の第５のセットの１つまたは複数の態様を実装するための、メモリ上に記憶されたコードを実行するように構成され得る。
【００２４】
[0024]例示的実施形態の第７のセットによると、ワイヤレス通信を管理するための装置は、ユーザ機器（ＵＥ）のためのパケットデータネットワーク（ＰＤＮ）接続を確立するための要求を受信するための手段と、ＵＥについての記憶された加入情報のセットに基づいて、選択されたインターネットプロトコルトラフィックオフロード（ＳＩＰＴＯ）がＵＥについて許可されるかどうか決定するための手段と、第１のｅノードＢに関連付けられた第１のローカルゲートウェイの第１のネットワークアドレスと第２のｅノードＢに関連付けられた第２のローカルゲートウェイの第２のネットワークアドレスとを決定するための手段と、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択するための手段とを含み得る。
【００２５】
[0025]いくつかの例において、装置は、上述した例示的実施形態の第５のセットの１つまたは複数の態様を実装するための手段をさらに含み得る。
【００２６】
[0026]例示的な実施形態の第８のセットによると、コンピュータプログラム製品は、コンピュータ可読コードを備える非一時的コンピュータ可読媒体を含み得る。コンピュータ可読コードは、少なくとも１つのプロセッサに、ユーザ機器（ＵＥ）のためのパケットデータネットワーク（ＰＤＮ）接続を確立するための要求を受信させ、ＵＥについての記憶された加入情報のセットに基づいて、選択されたインターネットプロトコルトラフィックオフロード（ＳＩＰＴＯ）がＵＥについて許可されるかどうか決定させ、第１のｅノードＢに関連付けられた第１のローカルゲートウェイの第１のネットワークアドレスと第２のｅノードＢに関連付けられた第２のローカルゲートウェイの第２のネットワークアドレスとを決定させ、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択させるように構成され得る。
【００２７】
[0027]いくつかの例において、コンピュータ可読コードは、上述した例示的実施形態の第５のセットの１つまたは複数の態様を実装するようにさらに構成され得る。
【００２８】
[0028]例示的実施形態の第９のセットによると、ワイヤレス通信を管理するための方法は、第１のｅノードＢにおいて、ユーザ機器（ＵＥ）のためのベアラを確立するための要求を受信することと、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定することと、要求が第２のｅノードＢにおけるＵＥのためのＳＩＰＴＯ  ＰＤＮ接続に関連付けられているという決定に応答して、ベアラを確立するために第２のｅノードＢと通信することと、ＵＥとのＳＩＰＴＯ  ＰＤＮ接続に対応する無線ベアラを確立することとを含み得る。
【００２９】
[0029]いくつかの例において、ＵＥのためのベアラを確立するための要求は、モビリティ管理エンティティ（ＭＭＥ）によって、Ｅ−ＲＡＢベアラを確立するために与えられ得る。いくつかの例において、要求が第２のｅノードＢにおけるＵＥのためのＳＩＰＴＯ  ＰＤＮ接続に関連付けられているかどうか決定することは、要求が、ベアラをＳ５ベアラと相関させる識別子を含むかどうか決定することを含んでよく、ここにおいてＳ５ベアラは、第２のｅノードＢのローカルゲートウェイとサービングゲートウェイとの間で確立される。第１のｅノードＢは、識別子を、ベアラを確立するための第２のｅノードＢとの通信中に、第２のｅノードＢに送信すればよい。
【００３０】
[0030]いくつかの例において、要求が第２のｅノードＢにおけるＵＥのためのＳＩＰＴＯ  ＰＤＮ接続に関連付けられているかどうか決定することは、第２のｅノードＢのローカルゲートウェイのネットワークアドレスがモビリティ管理エンティティ（ＭＭＥ）に送られるかどうか決定することを含み得る。
【００３１】
[0031]いくつかの例において、要求は、Ｓ１インターフェースを介して第１のｅノードＢにおいて受信され得、ベアラを確立するための第２のｅノードＢとの通信はＸ２インターフェースを介して起こる。
【００３２】
[0032]いくつかの例において、無線ベアラ構成パラメータは第２のｅノードＢから受信され得る。ＳＩＰＴＯ  ＰＤＮ接続に対応する無線ベアラは、第２のｅノードＢから受信された無線ベアラ構成パラメータに基づいて確立され得る。
【００３３】
[0033]いくつかの例において、ベアラを確立するための要求を送信することは、第２のｅノードＢに無線ベアラ構成パラメータを送信することを含み得る。
【００３４】
[0034]例示的実施形態の第１０のセットによると、ワイヤレス通信を管理するための装置は、少なくとも１つのプロセッサと、少なくとも１つのプロセッサと通信可能に結合されたメモリとを含み得る。少なくとも１つのプロセッサは、ユーザ機器（ＵＥ）のためのベアラを確立するための要求を受信し、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定し、要求が第２のｅノードＢにおけるＵＥのためのＳＩＰＴＯ  ＰＤＮ接続に関連付けられているという決定に応答して、ベアラを確立するために第２のｅノードＢと通信し、ＵＥとのＳＩＰＴＯ  ＰＤＮ接続に対応する無線ベアラを確立するための、メモリ上に記憶されたコードを実行するように構成され得る。
【００３５】
[0035]いくつかの例において、少なくとも１つのプロセッサは、上述した例示的実施形態の第９のセットの１つまたは複数の態様を実装するための、メモリ上に記憶されたコードを実行するように構成され得る。
【００３６】
[0036]例示的実施形態の第１１のセットによると、ワイヤレス通信を管理するための装置は、ユーザ機器（ＵＥ）のためのベアラを確立するための要求を受信するための手段と、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定するための手段と、要求が第２のｅノードＢにおけるＵＥのためのＳＩＰＴＯ  ＰＤＮ接続に関連付けられているという決定に応答して、ベアラを確立するために第２のｅノードＢと通信するための手段と、ＵＥとのＳＩＰＴＯ  ＰＤＮ接続に対応する無線ベアラを確立するための手段とを含み得る。
【００３７】
[0037]いくつかの例において、そのは、上述した例示的実施形態の第９のセットの１つまたは複数の態様を実装するための手段を含み得る。
【００３８】
[0038]例示的な実施形態の第１２のセットによると、コンピュータプログラム製品は、コンピュータ可読コードを備える非一時的コンピュータ可読媒体を含み得る。コンピュータ可読コードは、少なくとも１つのプロセッサに、ユーザ機器（ＵＥ）のためのベアラを確立するための要求を受信させ、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定させ、要求が第２のｅノードＢにおけるＵＥのためのＳＩＰＴＯ  ＰＤＮ接続に関連付けられているという決定に応答して、ベアラを確立するために第２のｅノードＢと通信させ、ＵＥとのＳＩＰＴＯ  ＰＤＮ接続に対応する無線ベアラを確立させるように構成され得る。
【００３９】
[0039]いくつかの例において、コンピュータ可読コードは、上述した例示的実施形態の第９のセットの１つまたは複数の態様を実装するようにさらに構成され得る。
【００４０】
[0040]例示的実施形態の第１３のセットによると、方法は、第２のｅノードＢにおいて、ＵＥのためのベアラを確立するための要求を第１のｅノードＢから受信することと、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定することと、要求がＳＩＰＴＯ  ＰＤＮ接続に関連付けられているという決定に少なくとも部分的に基づいて、第２のｅノードＢにおいてベアラを確立することと、ＵＥのためのＳＩＰＴＯ  ＰＤＮ接続に対応する無線ベアラ構成パラメータを決定することと、ＵＥのためのＳＩＰＴＯ  ＰＤＮ接続に関連付けられた、オフロードされたネットワークトラフィックを第２のｅノードＢのローカルゲートウェイに搬送することとを含み得る。
【００４１】
[0041]いくつかの例において、要求が第２のｅノードＢにおけるＵＥのためのＳＩＰＴＯ  ＰＤＮ接続に関連付けられているかどうか決定することは、要求が、ベアラをＳ５ベアラと相関させる識別子を含むかどうか決定することを含み得る。Ｓ５ベアラは、第２のｅノードＢのローカルゲートウェイとサービングゲートウェイとの間で確立され得る。
【００４２】
[0042]いくつかの例において、無線ベアラ構成パラメータを決定することは、第１のｅノードＢから無線ベアラ構成パラメータを受信することを含み得る。
【００４３】
[0043]いくつかの例において、無線ベアラ構成パラメータは第１のｅノードＢに送信され得る。
【００４４】
[0044]いくつかの例において、第２のｅノードＢにおけるＳＩＰＴＯ  ＰＤＮ接続は非アクティブ化され得る。第２のｅノードＢにおけるＳＩＰＴＯ  ＰＤＮ接続は、ＵＥの接続状況の変化、ＵＥの場所の変化、または第２のｅノードＢにおけるＳＩＰＴＯスケジューリングの変化のうちの少なくとも１つに応答して非アクティブ化され得る。ＳＩＰＴＯ  ＰＤＮ接続は、たとえば、Ｘ２インターフェースを介して第１のｅノードＢにＥ−ＲＡＢ解放指示要求メッセージを送信することによって非アクティブ化され得る。追加または代替として、ＳＩＰＴＯ  ＰＤＮ接続は、ベアラ削除要求メッセージを、Ｓ５インターフェースを介して第２のｅノードＢのローカルゲートウェイからサービングゲートウェイに送信することによって非アクティブ化され得る。ベアラ削除要求メッセージは、ベアラ再アクティブ化についての要求を含み得る。追加または代替として、ＳＩＰＴＯ  ＰＤＮ接続は、第２ｅノードＢにおいて第１のｅノードＢから非アクティブ化要求を受信し、第２のｅノードＢから第１のｅノードＢに非アクティブ化状況を送信することによって非アクティブ化され得る。
【００４５】
[0045]例示的実施形態の第１４のセットによると、ワイヤレス通信を管理するための装置は、少なくとも１つのプロセッサと、少なくとも１つのプロセッサと通信可能に結合されたメモリとを含み得る。少なくとも１つのプロセッサは、ＵＥのためのベアラを確立するための要求を第１のｅノードＢから受信し、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定し、要求がＳＩＰＴＯ  ＰＤＮ接続に関連付けられているという決定に少なくとも部分的に基づいて、第２のｅノードＢにおいてベアラを確立し、ＵＥのためのＳＩＰＴＯ  ＰＤＮ接続に対応する無線ベアラ構成パラメータを決定し、ＵＥのためのＳＩＰＴＯ  ＰＤＮ接続に関連付けられた、オフロードされたネットワークトラフィックを第２のｅノードＢのローカルゲートウェイに搬送するための、メモリ上に記憶されたコードを実行するように構成され得る。
【００４６】
[0046]いくつかの例において、プロセッサは、上述した例示的実施形態の第１３のセットの１つまたは複数の態様を実装するための、メモリ上に記憶されたコードを実行するようにさらに構成され得る。
【００４７】
[0047]例示的実施形態の第１５のセットによると、ワイヤレス通信を管理するための装置は、ＵＥのためのベアラを確立するための要求を第１のｅノードＢから受信するための手段と、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定するための手段と、要求がＳＩＰＴＯ  ＰＤＮ接続に関連付けられているという決定に少なくとも部分的に基づいて、第２のｅノードＢにおいてベアラを確立するための手段と、ＵＥのためのＳＩＰＴＯ  ＰＤＮ接続に対応する無線ベアラ構成パラメータを決定するための手段と、ＵＥのためのＳＩＰＴＯ  ＰＤＮ接続に関連付けられた、オフロードされたネットワークトラフィックを第２のｅノードＢのローカルゲートウェイに搬送するための手段とを含み得る。
【００４８】
[0048]いくつかの例において、装置は、上述した例示的実施形態の第１３のセットの１つまたは複数の態様を実装するための手段をさらに含み得る。
【００４９】
[0049]例示的な実施形態の第１６のセットによると、コンピュータプログラム製品は、コンピュータ可読コードを備える非一時的コンピュータ可読媒体を含み得る。コンピュータ可読コードは、少なくとも１つのプロセッサに、ＵＥのためのベアラを確立するための要求を第１のｅノードＢから受信させ、要求が、第２のｅノードＢにおける、ＵＥのための選択されたインターネットプロトコルトラフィックオフロード（ＳＩＰＴＯ）パケットデータネットワーク（ＰＤＮ）接続に関連付けられているかどうか決定させ、要求がＳＩＰＴＯ  ＰＤＮ接続に関連付けられているという決定に少なくとも部分的に基づいて、第２のｅノードＢにおいてベアラを確立させ、ＵＥのためのＳＩＰＴＯ  ＰＤＮ接続に対応する無線ベアラ構成パラメータを決定させ、ＵＥのためのＳＩＰＴＯ  ＰＤＮ接続に関連付けられた、オフロードされたネットワークトラフィックを第２のｅノードＢのローカルゲートウェイに搬送させるように構成され得る。
【００５０】
[0050]いくつかの例において、コンピュータ可読コードは、少なくとも１つのプロセッサに、上述した例示的実施形態の第１３のセットの１つまたは複数の態様を実装させるようにさらに構成され得る。
【００５１】
[0051]以下の図面を参照することにより、本発明の性質および利点のさらなる理解が得られ得る。添付の図において、同様の構成要素または特徴は同じ参照ラベルを有し得る。さらに、同じタイプの様々な構成要素は、同様の構成要素の中で区別するダッシュおよび第２のラベルを参照ラベルの後に付けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００５２】
【図１】[0052]本開示の一態様による、ワイヤレス通信システムの一例を概念的に示すブロック図。
【図２】[0053]本開示の一態様による、ワイヤレス通信システムにおけるベアラアーキテクチャの一例を概念的に示すブロック図。
【図３Ａ】[0054]本開示の一態様による、ワイヤレス通信システムにおけるダウンリンクチャネルの一例を概念的に示すブロック図。
【図３Ｂ】[0055]本開示の一態様による、ワイヤレス通信システムにおけるアップリンクチャネルの一例を概念的に示すブロック図。
【図４】[0056]本開示の一態様による、ｅノードＢおよびＵＥの設計を概念的に示すブロック図。
【図５Ａ】[0057]本開示の一態様による、ＵＥとパケットデータネットワーク（ＰＤＮ）との間のデータ経路の例を概念的に示すブロック図。
【図５Ｂ】本開示の一態様による、ＵＥとパケットデータネットワーク（ＰＤＮ）との間のデータ経路の例を概念的に示すブロック図。
【図６】[0058]本開示の一態様による、ワイヤレス通信システムにおけるＳＩＰＴＯの実装に関連付けられたベアラの例を概念的に示すブロック図。
【図７】[0059]本開示の一態様による、支援ｅノードＢにおいてＳＩＰＴＯ  ＰＤＮ接続用のベアラをセットアップするための、ワイヤレス通信システムのノードの間の通信の例を概念的に示すブロック図。
【図８】[0060]本開示の一態様による、ＳＩＰＴＯ  ＰＤＮ接続を非アクティブ化するための、ワイヤレス通信システムにおける通信の例を概念的に示すブロック図。
【図９】[0061]本開示の一態様による、ＳＩＰＴＯ  ＰＤＮ接続をアンカーｅノードＢから支援ｅノードＢに移動させるための、ワイヤレス通信システムにおける通信の例を概念的に示すブロック図。
【図１０】[0062]本開示の一態様による、アンカーｅノードＢの一例を概念的に示すブロック図。
【図１１】[0063]本開示の一態様による、支援ｅノードＢの一例を概念的に示すブロック図。
【図１２】[0064]本開示の一態様による、モビリティ管理エンティティ（ＭＭＥ）の一例を概念的に示すブロック図。
【図１３】[0065]本開示の一態様による、ワイヤレス通信の方法の一例を概念的に示すフローチャート。
【図１４】[0066]本開示の一態様による、ワイヤレス通信の方法の一例を概念的に示すフローチャート。
【図１５】[0067]本開示の一態様による、ワイヤレス通信の方法の一例を概念的に示すフローチャート。
【図１６】[0068]本開示の一態様による、ワイヤレス通信の方法の一例を概念的に示すフローチャート。
【発明を実施するための形態】
【００５３】
[0069]本開示は、ＵＥのための選択されたインターネットプロトコルトラフィックオフロード（ＳＩＰＴＯ）または同様のネットワークトラフィックオフローディングを、ＵＥにサービスするアンカーｅノードＢ以外のｅノードＢに拡張するための技法について記載する。ＵＥが少なくともアンカーｅノードＢおよび支援ｅノードＢと通信しているとき、ＵＥとＰＤＮとの間のベアラトラフィックに適応するために、ＳＩＰＴＯパケットデータネットワーク（ＰＤＮ）接続が支援ｅノードＢのローカルゲートウェイにおいて確立され得る。支援ｅノードＢのローカルゲートウェイは、コアネットワークのアンカーｅノードＢまたはモビリティ管理エンティティ（ＭＭＥ）によって、ＵＥにＳＩＰＴＯサポートを提供するために選択され得る。
【００５４】
[0070]本開示において、１）支援ｅノードＢ用のローカルゲートウェイのネットワークアドレスを決定し、２）支援ｅノードＢにおいてＳＩＰＴＯ  ＰＤＮ接続を確立すると決定し、３）ＳＩＰＴＯ  ＰＤＮ接続のための、支援ｅノードＢと支援ｅノードＢのローカルゲートウェイとの間の直接経路を確立するための手順が定義され得る。
【００５５】
[0071]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰのロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書において説明される技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外にも適用可能である。
【００５６】
[0072]したがって、以下の説明は例を与えるものであり、特許請求の範囲に記載された範囲、適用可能性、または構成を限定するものではない。本開示の趣旨および範囲から逸脱することなく、論じられる要素の機能および構成において変更が行われ得る。様々な実施形態は、必要に応じて様々な手順または構成要素を省略、置換、または追加することができる。たとえば、説明される方法は、説明される順序とは異なる順序で実施されてよく、様々なステップが追加、省略、または組み合わされてよい。また、いくつかの実施形態に関して説明する特徴は、他の実施形態において組み合わせられ得る。
【００５７】
[0073]本明細書および添付の特許請求の範囲において使われるように、「ベアラ」という用語は、通信ネットワーク中の２つの通信ノードの間のリンクを指す。
【００５８】
[0074]本明細書および添付の特許請求の範囲において使われるように、「アンカーｅノードＢ」という用語は、ＵＥのためのコアネットワークへのＳ１−ＭＭＥインターフェースを終端させ、したがってそのＵＥのためのコアネットワークに対するモビリティアンカーとして作用するｅノードＢを指す。
【００５９】
[0075]本明細書および添付の特許請求の範囲において使われるように、「支援ｅノードＢ」という用語は、ＵＥに追加無線リソースを提供する、ＵＥのアンカーｅノードＢ以外のｅノードＢを指す。
【００６０】
[0076]ＵＥに関する、アンカーｅノードＢまたは支援ｅノードＢとしてのｅノードＢの分類は、ＵＥに関連付けられた場所、速さの率および方向、信号強度、ならびに／または他の変動要因に基づいて動的に変わり得ることが理解されよう。単一のｅノードＢが、あるＵＥのためのアンカーｅノードＢと、別のＵＥのための支援ｅノードＢの両方として働き得る。ｅノードＢが、ＵＥのためのアンカーｅノードＢとして働き、次いで、そのＵＥのための支援ｅノードＢとして働くか、またはそのＵＥと通信しないように遷移し得ることがさらに理解されよう。同様に、ｅノードＢが、所与のＵＥのための支援ｅノードＢとして働き、次いで、そのＵＥのためのアンカーｅノードＢとして働くか、またはそのＵＥと通信しないように遷移し得ることが理解されよう。
【００６１】
[0077]図１は、本開示の一態様による、ワイヤレス通信システム１００の一例を概念的に示すブロック図である。ワイヤレス通信システム１００は、ｅノードＢ１０５と、ユーザ機器（ＵＥ）１１５と、コアネットワーク１３０とを含む。ｅノードＢ１０５は、様々な実施形態ではコアネットワーク１３０またはｅノードＢ１０５の一部であり得る基地局コントローラ（図示せず）の制御下でＵＥ１１５と通信し得る。ｅノードＢ１０５は、第１のバックホールリンク１３２を通してコアネットワーク１３０と制御情報および／またはユーザデータを通信し得る。実施形態では、ｅノードＢ１０５は、ワイヤードまたはワイヤレス通信リンクであり得る第２のバックホールリンク１３４を介して互いと直接または間接的に通信し得る。ワイヤレス通信システム１００は、複数のキャリア（様々な周波数の波形信号）上での動作をサポートすることができる。マルチキャリア送信機は、複数のキャリア上で同時に被変調信号を送信することができる。たとえば、各通信リンク１２５は、上述された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送することができる。
【００６２】
[0078]ｅノードＢ１０５は、１つまたは複数の基地局アンテナを介して、ＵＥ１１５とワイヤレス通信することができる。ｅノードＢ１０５のサイトの各々は、それぞれの地理的カバレージエリア１１０に通信カバレージを与え得る。本例では、発展型ノードＢ（ｅノードＢ）という用語は、概して、ワイヤレス通信システム１００の基地局を記述するために使用され得る。追加または代替の実施形態において、ベーストランシーバ局、無線基地局、アクセスポイント、無線トランシーバ、基本サービスセット（ＢＳＳ）、拡張サービスセット（ＥＳＳ）、ノードＢ、またはホームノードＢを含む、他のタイプの基地局が使われてよい。ｅノードＢ１０５のための地理的カバレージエリア１１０は、カバレージエリアの一部分のみを構成するセクタ（図示せず）に分割され得る。ワイヤレス通信システム１００は、異なるタイプのｅノードＢ１０５（たとえば、マクロ基地局、マイクロ基地局、および／またはピコ基地局）を含み得る。異なる技術のための重複するカバレージエリアがあり得る。
【００６３】
[0079]実施形態では、ワイヤレス通信システム１００はＬＴＥ／ＬＴＥ−Ａネットワーク通信システムである。ワイヤレス通信システム１００は、異なるタイプのｅノードＢ１０５が様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリア（たとえば、建築物）をカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを可能にし得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。
【００６４】
[0080]コアネットワーク１３０は、第１のバックホールリンク１３２（たとえば、Ｓ１インターフェースなど）を介してｅノードＢ１０５または他の基地局と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明される技法は、同期動作または非同期動作のいずれかに対して使用され得る。
【００６５】
[0081]ＵＥ１１５は、ワイヤレス通信システム１００全体にわたって分散されてよく、各ＵＥ１１５は固定的または移動性であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００６６】
[0082]ワイヤレス通信システム１００に示された通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００６７】
[0083]いくつかの例では、ＵＥ１１５は、複数のｅノードＢ１０５と同時に通信することが可能であり得る。複数のｅノードＢ１０５がＵＥ１１５をサポートするとき、ｅノードＢ１０５のうちの１つは、そのＵＥ１１５のためのアンカーｅノードＢ１０５として指定され得、１つまたは複数の他のｅノードＢ１０５は、そのＵＥ１１５のための支援ｅノードＢ１０５として指定され得る。たとえば、支援ｅノードＢ１０５は、パケットデータネットワーク（ＰＤＮ）に通信可能に結合されたローカルゲートウェイに関連付けられ、コアネットワーク１３０を通してトラフィックを送信するのではなく、支援ｅノードＢ１０５のローカルゲートウェイを通してＵＥ１１５とそのＰＤＮとの間のネットワークトラフィックの一部分をオフロードすることによって、コアネットワーク１３０のリソースが温存され得る。たとえば、ＵＥ１１５のための支援ｅノードＢ１０５において、ＳＩＰＴＯ  ＰＤＮ接続がセットアップされ得る。
【００６８】
[0084]従来技術のワイヤレス通信システムは、ＳＩＰＴＯサポートをアンカーｅノードＢ１０５に制限し、支援ｅノードＢ１０５においてＵＥ１１５向けのＳＩＰＴＯを可能にする方法は提供しない。ただし、続く図面の記述によって示されるように、本開示は、支援ｅノードＢ１０５においてＳＩＰＴＯ  ＰＤＮ接続をセットアップし、ティアダウンするための方法と装置とを提供する。
【００６９】
[0085]図２は、本開示の一態様による、ワイヤレス通信システム２００におけるベアラアーキテクチャの一例を概念的に示すブロック図である。ベアラアーキテクチャは、ＵＥ２１５と、ネットワークを介してアドレス可能なピアエンティティ２３０との間のエンドツーエンドサービス２３５を与えるために使用され得る。ピアエンティティ２３０は、サーバ、別のＵＥ、または別のタイプのネットワークアドレス可能デバイスであり得る。エンドツーエンドサービス２３５は、エンドツーエンドサービス２３５に関連する特性（たとえば、ＱｏＳ）のセットに従って、ＵＥ２１５とピアエンティティ２３０との間でデータをフォワーディングし得る。エンドツーエンドサービス２３５は、少なくとも、ＵＥ２１５、ｅノードＢ２０５、サービングゲートウェイ（ＳＧＷ）２２０、パケットデータネットワーク（ＰＤＮ）ゲートウェイ（ＰＧＷ）２２５、およびピアエンティティ２３０によって実装され得る。ＵＥ２１５およびｅノードＢ２０５は、ＬＴＥ／ＬＴＥ−Ａシステムのエアインターフェースである発展型ＵＭＴＳ地上波無線アクセスネットワーク（Ｅ−ＵＴＲＡＮ：evolved UMTS terrestrial radio access network）２０８の構成要素であり得る。サービングゲートウェイ２２０およびＰＤＮゲートウェイ２２５は、ＬＴＥ／ＬＴＥ−Ａシステムのコアネットワークアーキテクチャである発展型パケットコア（ＥＰＣ）２０９の構成要素であり得る。ピアエンティティ２３０は、ＰＤＮゲートウェイ２２５に通信可能に結合されたＰＤＮ２１０上のアドレス可能ノードであり得る。
【００７０】
[0086]エンドツーエンドサービス２３５は、ＵＥ２１５とＰＤＮゲートウェイ２２５との間の発展型パケットシステム（ＥＰＳ）ベアラ２４０によって、およびＳＧｉインターフェースを介したＰＤＮゲートウェイ２２５とピアエンティティ２３０との間の外部ベアラ２４５によって実装され得る。ＳＧｉインターフェースは、ＵＥ２１５のインターネットプロトコル（ＩＰ）または他のネットワークレイヤアドレスをＰＤＮ２１０に公開し得る。
【００７１】
[0087]ＥＰＳベアラ２４０は、特定のＱｏＳに対して定義されたエンドツーエンドトンネルであり得る。各ＥＰＳベアラ２４０は、複数のパラメータ、たとえば、ＱｏＳクラス識別子（ＱＣＩ）、割振りおよび保持優先度（ＡＲＰ：allocation and retention priority）、保証ビットレート（ＧＢＲ）、およびアグリゲート最大ビットレート（ＡＭＢＲ）に関連し得る。ＱＣＩは、レイテンシ、パケットロス、ＧＢＲ、および優先度に関して、あらかじめ定義されたパケット転送処理に関連するＱｏＳクラスを示す整数であり得る。いくつかの例では、ＱＣＩは１から９までの整数であり得る。ＡＲＰは、同じリソースのための２つの異なるベアラ間の競合の場合、プリエンプション優先度を与えるためにｅノードＢ２０５のスケジューラによって使用され得る。ＧＢＲは、別個のダウンリンク保証ビットレートとアップリンク保証ビットレートとを指定し得る。いくつかのＱｏＳクラスは、それらのクラスのベアラに対して保証ビットレートが定義されないような非ＧＢＲであり得る。
【００７２】
[0088]ＥＰＳベアラ２４０は、ＵＥ２１５とサービングゲートウェイ２２０との間のＥ−ＵＴＲＡＮ無線アクセスベアラ（Ｅ−ＲＡＢ）２５０、およびＳ５またはＳ８インターフェースを介したサービングゲートウェイ２２０とＰＤＮゲートウェイ２２５との間のＳ５／Ｓ８ベアラ２５５によって実装され得る。Ｓ５は、非ローミングシナリオにおけるサービングゲートウェイ２２０とＰＤＮゲートウェイ２２５との間のシグナリングインターフェースを指し、Ｓ８は、ローミングシナリオにおけるサービングゲートウェイ２２０とＰＤＮゲートウェイ２２５との間の類似するシグナリングインターフェースを指す。Ｅ−ＲＡＢ２５０は、ＬＴＥ−Ｕｕエアインターフェースを介したＵＥ２１５とｅノードＢ２０５との間の無線ベアラ２６０によって、およびＳ１インターフェースを介したｅノードＢ２０５とサービングゲートウェイ２２０との間のＳ１ベアラ２６５によって実装され得る。
【００７３】
[0089]図２は、ＵＥ２１５とピアエンティティ２３０との間のエンドツーエンドサービス２３５の一例のコンテキストにおけるベアラ階層を示しているが、いくつかのベアラは、エンドツーエンドサービス２３５に関係しないデータを搬送するために使用され得ることが理解されよう。たとえば、無線ベアラ２６０または他のタイプのベアラは、２つ以上のエンティティ間でエンドツーエンドサービス２３５のデータに関係しない制御データを送信するために確立され得る。
【００７４】
[0090]図１を参照して上述したように、いくつかの構成において、１つまたは複数のＥＰＳベアラ２４０に関連したデータが、アンカーｅノードＢ２０５から支援ｅノードＢ２０５のローカルゲートウェイ（図示せず）にオフロードされてよく、そうすることによって、ベアラトラフィックを、代替経路を介してＥＰＣ２０９から、およびＰＤＮ２１０へとそらす。多くのシステムが、たとえば、ＵＥ２１５のアンカーｅノードＢ２０５におけるＳＩＰＴＯがコアネットワークリソースを節約するとともに向上したサービスをＵＥ２１５に提供することを可能にする。ただし、いくつかのケースにおいて、ＵＥ２１５は、アンカーｅノードＢ２０５と１つまたは複数の支援ｅノードＢ２０５の両方と通信している場合がある。そのような例において、アンカーｅノードＢ２０５はＳＩＰＴＯをサポートすることができないが、支援ｅノードＢ２０５のうちの１つはＳＩＰＴＯをサポートすることができる。他の例では、支援ｅノードＢ２０５のうちの１つが、アンカーｅノードＢ２０５よりも、ＳＩＰＴＯ  ＰＤＮ接続に利用可能な多くのネットワークリソースを有し得る。本明細書は、１つまたは複数の支援ｅノードＢ２０５においてＳＩＰＴＯ  ＰＤＮ接続をセットアップし、取り払うための方法および装置について記載する。
【００７５】
[0091]図３Ａは、本開示の一態様による、ワイヤレス通信システム３００−ａにおけるダウンリンクチャネルの例を概念的に示すブロック図であり、図３Ｂは、本開示の一態様による、ワイヤレス通信システム３００−ｂにおけるアップリンクチャネルの例を概念的に示すブロック図である。チャネライゼーション階層は、たとえば、図１のワイヤレス通信システム１００または図２のワイヤレス通信システム２００によって実装され得る。ダウンリンクチャネライゼーション階層３００−ａは、たとえば、ＬＴＥ／ＬＴＥ−Ａネットワークの論理チャネル３１０と、ダウンリンクトランスポートチャネル３２０−ａと、ダウンリンク物理チャネル３３０−ａとの間のチャネルマッピングを示し得る。
【００７６】
[0092]論理チャネル３１０は、制御チャネルとトラフィックチャネルとに分類され得る。各論理チャネル３１０は別個の無線ベアラ２６０（図２に示す）に関連付けられてよく、つまり、論理チャネル３１０と無線ベアラ２６０との間には１対１の相関があり得る。データ（たとえば、ＥＰＳベアラ２４０についての）を伝える無線ベアラ２６０はデータ無線ベアラ（ＤＲＢ）と呼ばれる場合があり、一方で、制御データ（たとえば、制御チャネルについての）を伝える無線ベアラ２６０は制御無線ベアラ（ＣＲＢ）と呼ばれる場合がある。
【００７７】
[0093]論理制御チャネルは、ページング制御チャネル（ＰＣＣＨ）３１１、ページング情報を転送するダウンリンクチャネルである、と、ブロードキャスト制御チャネル（ＢＣＣＨ）３１２、システム制御情報をブロードキャストするためのダウンリンクチャネルである、と、マルチキャスト制御チャネル（ＭＣＣＨ）３１６、１つまたは複数のマルチキャストトラフィックチャネル（ＭＴＣＨ）３１７のためのマルチメディアブロードキャスト／マルチキャストサービス（ＭＢＭＳ）スケジューリングおよび制御情報を送信するために使用されるポイントツーマルチポイントダウンリンクチャネルである、とを含み得る。
【００７８】
[0094]概して、ＭＣＣＨ３１６は、無線リソース制御（ＲＲＣ）接続を確立した後、ＭＢＭＳを受信するユーザ機器によってのみ使用される。専用制御チャネル（ＤＣＣＨ）３１４は、ＲＲＣ接続を有するユーザ機器によって使用されるユーザ固有の制御情報などの専用制御情報を送信するポイントツーポイント双方向チャネルである別の論理制御チャネルである。共通制御チャネル（ＣＣＣＨ）３１３は、ランダムアクセス情報のために使用され得る論理制御チャネルでもある。論理トラフィックチャネルは、専用トラフィックチャネル（ＤＴＣＨ）３１５、ユーザ情報の転送のための、ユーザ機器に専用の、ポイントツーポイント双方向チャネルである、と、ＭＴＣＨ３１７、トラフィックデータのポイントツーマルチポイントダウンリンク送信に使われ得る、とを含み得る。
【００７９】
[0095]様々な実施形態のいくつかに適応する通信ネットワークは、さらに、ダウンリンク（ＤＬ）とアップリンク（ＵＬ）とに分類される論理トランスポートチャネルを含み得る。ＤＬトランスポートチャネル３２０−ａは、ブロードキャストチャネル（ＢＣＨ）３２２と、ダウンリンク共有データチャネル（ＤＬ−ＳＣＨ）３２３と、マルチキャストチャネル（ＭＣＨ）３２４と、ページングチャネル（ＰＣＨ）３２１とを含み得る。
【００８０】
[0096]物理チャネルはまた、ダウンリンクチャネルとアップリンクチャネルとのセットを含み得る。いくつかの開示される実施形態において、ダウンリンク物理チャネル３３０−ａは、物理ブロードキャストチャネル（ＰＢＣＨ）３３２と、物理制御フォーマットインジケータチャネル（ＰＣＦＩＣＨ）３３１と、物理ダウンリンク制御チャネル（ＰＤＣＣＨ）３３５と、物理ハイブリッドＡＲＱインジケータチャネル（ＰＨＩＣＨ）３３３と、物理ダウンリンク共有チャネル（ＰＤＳＣＨ）３３４と、物理マルチキャストチャネル（ＰＭＣＨ）３３６とを含み得る。
【００８１】
[0097]アップリンクチャネライゼーション階層３００−ｂは、たとえば、ＬＴＥ／ＬＴＥ−Ａネットワーク用の論理チャネル３１０と、ＵＬトランスポートチャネル３２０−ｂと、アップリンク物理チャネル３３０−ｂとの間のチャネルマッピングを示し得る。ＵＬトランスポートチャネル３２０−ｂは、ランダムアクセスチャネル（ＲＡＣＨ）３２５と、アップリンク共有データチャネル（ＵＬ−ＳＣＨ）３２６とを含み得る。アップリンク物理チャネル３３０−ｂは、物理ランダムアクセスチャネル（ＰＲＡＣＨ）３３７、物理アップリンク制御チャネル（ＰＵＣＣＨ）３３８、および物理アップリンク共有チャネル（ＰＵＳＣＨ）３３９のうちの少なくとも１つを含み得る。
【００８２】
[0098]図４は、本開示の一態様による、ｅノードＢ４０５およびＵＥ４１５の設計を概念的に示すブロック図である。ｅノードＢ４０５およびＵＥ４１５は、ワイヤレス通信システム４００の一部であり得る。このワイヤレス通信システム４００は、図１のワイヤレス通信システム１００および／または図２のワイヤレス通信システム２００の態様を示し得る。たとえば、ｅノードＢ４０５は、図１〜図３に関して上で記載されたｅノードＢ１０５、２０５のうちの１つまたは複数の一例であり得、ＵＥ４１５は、図１〜図３に関して上で記載されたＵＥ１１５、２１５のうちの１つまたは複数の一例であり得る。
【００８３】
[0099]ｅノードＢ４０５はｅノードＢアンテナ４３４−１〜４３４−ｘを備えることができ、ここでｘは正の整数であり、ＵＥ４１５はＵＥアンテナ４５２−１〜４５２−ｎを備えることができる。ワイヤレス通信システム４００では、ｅノードＢ４０５は複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、ｅノードＢ４０５が２つの「レイヤ」を送信する２×２ＭＩＭＯシステムでは、ｅノードＢ４０５とＵＥ４１５との間の通信リンクのランクは２である。
【００８４】
[0100]ｅノードＢ４０５において、ｅノードＢ送信プロセッサ４２０は、ｅノードＢデータソースからデータを受信し、ｅノードＢコントローラ／プロセッサ４４０から制御情報を受信することができる。制御情報は、ＰＢＣＨ、ＰＣＦＩＣＨ、ＰＨＩＣＨ、ＰＤＣＣＨなど向けであり得る。データは、ＰＤＳＣＨなど向けであり得る。ｅノードＢ送信プロセッサ４２０は、データと制御情報とを処理（たとえば、符号化およびシンボルマッピング）して、それぞれデータシンボルと制御シンボルとを取得し得る。ｅノードＢ送信プロセッサ４２０はまた、たとえば、ＰＳＳ、ＳＳＳ、およびセル固有基準信号のための基準シンボルを生成し得る。ｅノードＢ送信（ＴＸ）ＭＩＭＯプロセッサ４３０が、適用可能な場合、データシンボル、制御シンボル、および／または基準シンボルに対して空間処理（たとえば、プリコーディング）を実施し得、出力シンボルストリームをｅノードＢ変調器／復調器４３２−１〜４３２−ｘに与え得る。各ｅノードＢ変調器／復調器４３２は、出力サンプルストリームを取得するために、（たとえば、ＯＦＤＭなどのために）それぞれの出力シンボルストリームを処理し得る。各ｅノードＢ変調器／復調器４３２はさらに、ダウンリンク信号を取得するために、出力サンプルストリームを処理（たとえば、アナログへの変換、増幅、フィルタ処理、およびアップコンバート）し得る。一例では、ｅノードＢ変調器／復調器４３２−１〜４３２−ｘからのＤＬ信号は、それぞれｅノードＢアンテナ４３４−１〜４３４−ｘを介して送信され得る。
【００８５】
[0101]ＵＥ４１５において、ＵＥアンテナ４５２−１〜４５２−ｎは、ｅノードＢ４０５からＤＬ信号を受信し得、受信信号をそれぞれＵＥ変調器／復調器４５４−１〜４５４−ｎに与え得る。各ＵＥ変調器／復調器４５４は、入力サンプルを取得するために、それぞれの受信信号を調整（たとえば、フィルタ処理、増幅、ダウンコンバート、およびデジタル化）し得る。各ＵＥ変調器／復調器４５４はさらに、受信シンボルを取得するために、（たとえば、ＯＦＤＭなどのために）入力サンプルを処理し得る。ＵＥ  ＭＩＭＯ検出器４５６が、すべての変調器／復調器４５４−１〜４５４−ｎから受信シンボルを取得し、適用可能な場合は受信シンボルに対してＭＩＭＯ検出を実施し、検出シンボルを与え得る。ＵＥ受信機（Ｒｘ）プロセッサ４５８が、検出シンボルを処理（たとえば、復調、デインターリーブ、および復号）し、ＵＥ４１５のための復号データをデータ出力に与え、復号された制御情報をＵＥコントローラ／プロセッサ４８０、またはＵＥメモリ４８２に与えることができる。
【００８６】
[0102]アップリンク（ＵＬ）上で、ＵＥ４１５において、ＵＥ送信プロセッサ４６４が、ＵＥデータソースからデータを受信し、処理し得る。ＵＥ送信プロセッサ４６４はまた、基準信号のための基準シンボルを生成し得る。ＵＥ送信プロセッサ４６４からのシンボルは、適用可能な場合はＵＥ送信ＭＩＭＯプロセッサ４６６によってプリコーディングされ、さらに（たとえば、ＳＣ−ＦＤＭＡなどのために）ＵＥ変調器／復調器４５４−１〜４５４−ｎによって処理され、ｅノードＢ４０５から受信された送信パラメータに従ってｅノードＢ４０５に送信され得る。ｅノードＢ４０５において、ＵＥ４１５からのＵＬ信号は、ｅノードＢアンテナ４３４によって受信され、ｅノードＢ変調器／復調器４３２によって処理され、適用可能な場合はｅノードＢ  ＭＩＭＯ検出器４３６によって検出され、さらにｅノードＢ受信機プロセッサ４３８によって処理され得る。ｅノードＢ受信機プロセッサ４３８は、復号されたデータをｅノードＢデータ出力とｅノードＢコントローラ／プロセッサ４４０とに与え得る。ＵＥ４１５の構成要素は、個別にまたは集合的に、ハードウェア中の適用可能な機能の一部または全部を実施するために適応された１つまたは複数の特定用途向け集積回路（ＡＳＩＣ）を用いて実装され得る。言及されたモジュールの各々は、ワイヤレス通信システム４００の動作に関係する１つまたは複数の機能を実施するための手段であり得る。同様に、ｅノードＢ４０５の構成要素は、個別にまたは集合的に、ハードウェア中の適用可能な機能の一部または全部を実施するように適応された１つまたは複数の特定用途向け集積回路（ＡＳＩＣ）を用いて実装され得る。言及された構成要素の各々は、ワイヤレス通信システム４００の動作に関係する１つまたは複数の機能を実施するための手段であり得る。
【００８７】
[0103]いくつかの様々な開示された実施形態に適応することができる通信ネットワークは、階層化プロトコルスタックに従って動作するパケットベースネットワークであり得る。たとえば、ベアラまたはパケットデータコンバージェンスプロトコル（ＰＤＣＰ）レイヤでの通信は、ＩＰベースであり得る。無線リンク制御（ＲＬＣ）レイヤは、論理チャネルを介して通信するために、パケットセグメンテーションとリアセンブリとを実施することができる。媒体アクセス制御（ＭＡＣ）レイヤは、優先度処理と、トランスポートチャネルへの論理チャネルの多重化とを実施することができる。ＭＡＣレイヤはまた、ＭＡＣレイヤで再送信を行ってリンク効率を改善するために、ハイブリッドＡＲＱ（ＨＡＲＱ）を使用することができる。物理レイヤにおいて、トランスポートチャネルは物理チャネルにマッピングされ得る。
【００８８】
[0104]１つの構成では、ｅノードＢ４０５は、ＵＥ４１５用のアンカーｅノードＢ４０５として動作することができ、ＵＥ４１５との接続を確立するための手段と、ＵＥ４１５と第２のｅノードＢ（図示せず）との間に接続が存在するのか、それとも保留中であるのかを決定するための手段と、モビリティ管理エンティティ（ＭＭＥ）にメッセージを送信するための手段とを含むことができ、ここでメッセージは、第２のｅノードＢのローカルゲートウェイについてのネットワークアドレスをＵＥ４１５のためのＳＩＰＴＯ接続性に関連付ける。メッセージは、第２のｅノードＢのローカルゲートウェイについてのネットワークアドレスを含み得る。一態様では、上述した手段は、上述した手段によって具陳される機能を実施するように構成された、ｅノードＢ４０５のｅノードＢコントローラ／プロセッサ４４０、ｅノードＢメモリ４４２、ｅノードＢ送信プロセッサ４２０、ｅノードＢ受信機プロセッサ４３８、ｅノードＢ変調器／復調器４３２、およびｅノードＢアンテナ４３４であってよい。
【００８９】
[0105]追加または代替の構成において、ｅノードＢ４０５は、ＵＥ４１５用のアンカーｅノードＢ４０５として動作することができ、ＵＥ４１５用のベアラを確立するための要求を受信するための手段と、要求または要求されたベアラが第２のｅノードＢ（図示せず）におけるＵＥ４１５用のＳＩＰＴＯ  ＰＤＮ接続に関連付けられているかどうか決定するための手段と、要求が、第２のｅノードＢにおいてＵＥ４１５用のＳＩＰＴＯ  ＰＤＮ接続に関連付けられたベアラを確立するためのものであるという決定に応答して、ベアラを確立するために第２のｅノードＢと通信するための手段と、ＵＥ４１５とのＳＩＰＴＯ  ＰＤＮ接続に対応する無線ベアラを確立するための手段とを含み得る。一態様では、上述した手段は、上述した手段によって具陳される機能を実施するように構成された、ｅノードＢ４０５のｅノードＢコントローラ／プロセッサ４４０、ｅノードＢメモリ４４２、ｅノードＢ送信プロセッサ４２０、ｅノードＢ受信機プロセッサ４３８、ｅノードＢ変調器／復調器４３２、およびｅノードＢアンテナ４３４であってよい。
【００９０】
[0106]追加または代替の構成において、ｅノードＢ４０５は、ＵＥ４１５用の支援ｅノードＢ４０５として動作することができ、ＵＥ４１５用のベアラを確立するための要求を別のｅノードＢ（たとえば、アンカーｅノードＢ、図示せず）から受信するための手段と、要求または要求されたベアラが、ｅノードＢ４０５におけるＵＥ４１５用のＳＩＰＴＯ  ＰＤＮ接続に関連付けられているのかどうか決定するための手段と、ＵＥ４１５とのＳＩＰＴＯ  ＰＤＮ接続に対応する無線ベアラ構成パラメータを決定するための手段と、ＵＥ４１５用のＰＤＮ接続に関連付けられた、オフロードされたネットワークトラフィックをｅノードＢ４０５のローカルゲートウェイに搬送するための手段とを含み得る。一態様では、上述した手段は、上述した手段によって具陳される機能を実施するように構成された、ｅノードＢ４０５のｅノードＢコントローラ／プロセッサ４４０、ｅノードＢメモリ４４２、ｅノードＢ送信プロセッサ４２０、ｅノードＢ受信機プロセッサ４３８、ｅノードＢ変調器／復調器４３２、およびｅノードＢアンテナ４３４であってよい。
【００９１】
[0107]図５Ａは、本開示の一態様による、ＵＥ５１５とＰＤＮ５３５との間のデータ経路の一例を概念的に示すブロック図である。本例において、ワイヤレス通信システム５００−ａは、ＵＥ５１５と、ローカルゲートウェイ（ＬＧＷ）５２０に関連付けられたアンカーｅノードＢ５０５と、発展型パケットコア（ＥＰＣ）５３０と、ＰＤＮ５３５と、ピアエンティティ５４０とを含み得る。ＵＥ５１５は、前の図を参照しながら上で説明したＵＥ１１５、２１５、４１５のうちの１つまたは複数の一例であり得る。アンカーｅノードＢ５０５は、前の図を参照しながら上で説明したｅノードＢ１０５、２０５、４０５のうちの１つまたは複数の一例であり得る。ＥＰＣ５３０は、図１を参照して上で記載したコアネットワーク１３０または図２を参照して上で記載したＥＰＣ２０９のうちの１つまたは複数の例であり得る。ＰＤＮ５３５は、図２を参照して上で記載したＰＤＮ２１０の例であり得る。
【００９２】
[0108]本例のＥＰＣ５３０は、モビリティ管理エンティティ（ＭＭＥ）５４５と、サービングゲートウェイ（ＳＧＷ）５５０と、ＰＤＮゲートウェイ（ＰＧＷ）５５５と、ポリシー課金ルール機能（ＰＣＲＦ）５６０とを含み得る。モビリティ管理エンティティ５４５は、ＵＥ５１５とＥＰＣ５３０との間のシグナリングを処理する制御ノードであり得る。たとえば、モビリティ管理エンティティ５４５は、ＵＥ５１５にベアラと接続管理とを提供し得る。モビリティ管理エンティティ５４５は、アイドルモードＵＥ５１５のトラッキングおよびページングと、ベアラアクティブ化および非アクティブ化と、ＵＥ５１５のためのサービングゲートウェイ５５０またはローカルゲートウェイ５２０の選択とを担当し得る。モビリティ管理エンティティ５４５はアンカーｅノードＢ５０５と通信することができ、さらにＵＥ５１５を認証し、ＵＥ５１５との非アクセス層（ＮＡＳ）シグナリングを実装することができる。
【００９３】
[0109]ＥＰＣ５３０を通して送信されるすべてのユーザＩＰパケットは、サービングゲートウェイ５５０を通して転送され得る。サービングゲートウェイ５５０は、ユーザプレーンに常駐し、ｅノードＢ間ハンドオーバおよび異なる無線アクセス技術（ＲＡＴ）間のハンドオーバのためのモビリティアンカーとして働き得る。ＰＤＮゲートウェイ５５５は、ＰＤＮ５３５など、１つまたは複数の外部パケットデータネットワークへの接続性を与え得る。ＰＤＮ５３５は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る
【００９４】
[0110]いくつかの通信インターフェースは、ワイヤレス通信システム５００−ａの様々なノードを互いと通信させるべき場所にあり得る。ＵＥ５１５は、Ｅ−ＵＴＲＡＮ  Ｕｕインターフェースを介してアンカーｅノードＢ５０５と通信することができ、このインターフェースは、ＬＴＥ／ＬＴＥ−Ａワイヤレス通信システムに関連付けられたエアインターフェースである。アンカーｅノードＢ５０５は、Ｓ１−ＭＭＥインターフェースを介してモビリティ管理エンティティ５４５と、およびＳ１−Ｕインターフェースを介してサービングゲートウェイ５５０と通信し得る。ＥＰＣ５３０内で、サービングゲートウェイ５５０は、Ｓ５インターフェースを介してＰＤＮゲートウェイ５５５と、およびＳ１１インターフェースを介してモビリティ管理エンティティ５４５と通信し得る。ＰＣＲＦ５６０は、ＰＤＮゲートウェイ５５５にポリシー強制を伝えるために、また、トラフィックフローデータを取り出すために、Ｇｘインターフェースを介してＰＤＮゲートウェイ５５５と通信し得る。モビリティ管理エンティティ５４５は、モビリティ管理エンティティ変化をサポートするために他のモビリティ管理エンティティ５４５と通信するのに、Ｓ１０インターフェースを使用すればよい。ＰＤＮゲートウェイ５５５は、ＵＥ５１５をＰＤＮ５３５に通信可能に結合するために、ＳＧｉインターフェースを介してＰＤＮ５３５と通信し得る。ＰＣＲＦ５６０は、ＰＤＮ５３５を介してアプリケーションからポリシーデータを受信するために、Ｒｘインターフェースを介してＰＤＮ５３５と通信し得る。
【００９５】
[0111]ＳＩＰＴＯがアンカーｅノードＢ５０５において有効化される場合、ＵＥ５１５とピアエンティティ５４０との間のユーザプレーントラフィックは、ＥＰＣ５３０からそらされ、アンカーｅノードＢ５０５のローカルゲートウェイ５２０とＰＤＮ５３５との間のＳＧｉ接続にオフロードされ得る。ローカルゲートウェイ５２０とＰＤＮ５３５との間のＳＧｉ接続を介したベアラトラフィックをサポートするために、ローカルゲートウェイ５２０は、Ｓ５インターフェースを介してサービングゲートウェイ５５０と通信すればよい。ＳＩＰＴＯは、ネットワークポリシーのセットおよび／またはＵＥ５１５についての加入情報に基づいて、ＳＩＰＴＯがＵＥ５１５の接続について許可されるとモビリティ管理エンティティ５４５が決定した場合、接続性アクティブ化中にＵＥ５１５のＰＤＮ接続のために有効化され得る。接続に対してＳＩＰＴＯが許可されると決定すると、モビリティ管理エンティティ５４５は、ローカルゲートウェイ５２０のネットワークアドレスを使って接続用のＳＩＰＴＯベアラをセットアップし得る。モビリティ管理エンティティ５４５は、アンカーｅノードＢ５０５との通信（たとえば、Ｓ１制御メッセージによる）、１つまたは複数のオペレーションアドミニストレーションおよびマネジメント（ＯＡＭ）メッセージ、または他の通信ソースに基づいてローカルゲートウェイ５２０のネットワークアドレスを決定し得る。ＳＩＰＴＯ適格データトラフィックは、ＵＥ５１５、アンカーｅノードＢ５０５、ローカルゲートウェイ５２０、およびＰＤＮ５３５によって画定される「ＳＩＰＴＯトラフィック」と標示される経路に沿って、ＵＥ５１５との間を流れ得る。コアデータトラフィック（たとえば、非ＳＩＰＴＯトラフィック）は、ＵＥ５１５、アンカーｅノードＢ５０５、サービングゲートウェイ５５０、ＰＤＮゲートウェイ５５５、およびＰＤＮ５３５によって画定される「コアトラフィック」と標示される経路に沿ってＵＥ５１５との間を流れ得る。
【００９６】
[0112]図５Ｂは、本開示の一態様による、ＵＥ５１５とＰＤＮ５３５との間のデータ経路の別の例を概念的に示すブロック図である。具体的には、図５Ｂは、ＵＥ５１５と通信している支援ｅノードＢ５０５−ｂの追加によって修正された、図５Ａのワイヤレス通信システム５００を示し、支援ｅノードＢ５０５−ｂは、ＵＥ５１５とＰＤＮ５３５との間でＵＥ５１５の少なくとも１つのＳＩＰＴＯ対応ＰＤＮ接続のためのＳＩＰＴＯトラフィックを搬送するのに使われ得る。図５Ｂのワイヤレス通信システム５００は、アンカーｅノードＢ５０５−ａと支援ｅノードＢ５０５−ｂの両方を含むことができ、これらの各々は、ＵＥ５１５および異なるローカルゲートウェイ５２０−ａ、５２０−ｂと通信している。代替的例において、アンカーｅノードＢ５０５−ａは、必ずしもローカルゲートウェイ５２０−ａと通信していなくてよい。
【００９７】
[0113]いくつかのケースにおいて、ＳＩＰＴＯは、アンカーｅノードＢ５０５−ａよりもむしろ支援ｅノードＢ５０５−ｂにおいて実施され得る。たとえば、アンカーｅノードＢ５０５−ａは、ＵＥ５１５の１つまたは複数のＳＩＰＴＯ許容可能ＰＤＮ接続のための、ローカルゲートウェイへのアクセスを有していない場合がある。他の例では、支援ｅノードＢ５０５−ｂのローカルゲートウェイ５２０−ｂの使用は、ネットワークリソースのよりバランスのとれた、または効率的な使用につながる場合がある。
【００９８】
[0114]図５Ｂにおいて、支援ｅノードＢ５０５−ｂは、ＵＥ５１５用の１つまたは複数のＳＩＰＴＯ  ＰＤＮ接続を扱うことができる。したがって、ＳＩＰＴＯ適格データトラフィックは、ＵＥ５１５、支援ｅノードＢ５０５−ｂ、支援ｅノードＢ５０５−ｂのローカルゲートウェイ５２０−ｂ、およびＰＤＮ５３５によって画定される、「ＳＩＰＴＯトラフィック」と標示された経路に沿って、ＵＥ５１５との間を流れ得る。コアデータトラフィック（たとえば、非ＳＩＰＴＯトラフィック）は、ＵＥ５１５、アンカーｅノードＢ５０５−ａまたは支援ｅノードＢ５０５−ｂ、サービングゲートウェイ５５０、ＰＤＮゲートウェイ５５５、およびＰＤＮ５３５によって画定される「コアトラフィック」と標示される経路に沿ってＵＥ５１５との間を流れ得る。追加の例では、アンカーｅノードＢ５０５−ａと支援ｅノードＢ５０５−ｂの両方が、ＵＥ５１５用の異なるＳＩＰＴＯ  ＰＤＮ接続を同時に扱うことができる。
【００９９】
[0115]本開示は、ａ）支援ｅノードＢ５０５−ｂにおいてＳＩＰＴＯ  ＰＤＮ接続を確立し、ｂ）支援ｅノードＢ５０５−ｂにおいてＳＩＰＴＯ  ＰＤＮ接続を非アクティブ化し、ｃ）ＳＩＰＴＯ  ＰＤＮ接続をアンカーｅノードＢ５０５−ａから支援ｅノードＢ５０５−ｂに、またはその逆も同様に移動させるための方法と技法とを提供する。
【０１００】
ＳＩＰＴＯ  ＰＤＮ接続の確立
[0116]支援ｅノードＢ５０５−ｂにおいてＳＩＰＴＯ  ＰＤＮ接続を確立するための手順は、ＵＥ５１５が、ＳＩＰＴＯが許可されるアクセスポイント名（ＡＰＮ）を用いて新規ＰＤＮ接続を要求することで始まり得る。ＰＤＮ接続は、標準ＰＤＮ接続性アクティブ化手順を使って要求され得る。モビリティ管理エンティティ５４５は、ＵＥ５１５から要求を受信し、ＡＰＮとの要求されたＰＤＮ接続のためのＳＩＰＴＯをＵＥ５１５が使うことを許可されるかどうかを、ＵＥ５１５についての加入情報に基づいて検証すればよい。モビリティ管理エンティティ５４５は、ＡＰＮとの要求されたＰＤＮ接続が許可されるかどうか検証するために、ＵＥ５１５についての加入情報を、たとえば、ホーム加入者サーバ（ＨＳＳ）（図示せず）から受信し得る。
【０１０１】
[0117]ＵＥ５１５が、ＡＰＮを有する要求されたＰＤＮ接続のためにＳＩＰＴＯを使うことを許可され、ＳＩＰＴＯが、ＡＰＮを有するＰＤＮに対して概して許可されると決定すると、モビリティ管理エンティティ５４５は、要求されたＰＤＮ接続を確立するための、支援ｅノードＢ５０５−ｂのローカルゲートウェイ５２０−ｂを選択し得る。モビリティ管理エンティティ５４５は、要求されたＰＤＮ接続を確立するための、支援ｅノードＢ５０５−ｂのローカルゲートウェイ５２０−ｂを選択するために、支援ｅノードＢ５０５−ｂ用のローカルゲートウェイ５２０−ｂのネットワークアドレスを決定し得る。たとえば、アンカーｅノードＢ５０５−ａは、支援ｅノードＢ５０５−ｂ用のローカルゲートウェイ５２０−ｂのネットワークアドレスをモビリティ管理エンティティ５４５に与え得る。アンカーｅノードＢ５０５−ａは、支援ｅノードＢ５０５−ｂのローカルゲートウェイ５２０−ｂのネットワークアドレスを決定するために、支援ｅノードＢ５０５−ｂと通信し得る。たとえば、アンカーｅノードＢ５０５−ａは、Ｘ２共通制御メッセージ（すなわち、ＵＥコンテキストに依存しない）を使って支援ｅノードＢ５０５−ｂと通信し得る。支援ｅノードＢ５０５−ｂは、そのローカルゲートウェイ５２０−ｂのネットワークアドレスを、Ｘ２インターフェースのセットアップ中に、またはｅノードＢ構成アップデート手順中に、アンカーｅノードＢ５０５−ａに与え得る。
【０１０２】
[0118]追加または代替の例において、支援ｅノードＢ５０５−ｂは、そのローカルゲートウェイ５２０−ｂのネットワークアドレスを、１つまたは複数のＸ２専用制御メッセージ（すなわち、特定のＵＥコンテキスト用）を介してアンカーｅノードＢ５０５−ａに与え得る。たとえば、支援ｅノードＢ５０５−ｂは、そのローカルゲートウェイ５２０−ｂのネットワークアドレスを、Ｘ２ハンドオーバ手順中にハンドオーバ要求肯定応答メッセージの一部として与え得る。追加または代替の例において、アンカーｅノードＢ５０５−ａは、たとえば、ネットワークの構成中に、オペレーション、アドミニストレーション、およびマネジメント（ＯＡＭ）サーバから支援ｅノードＢ５０５−ｂのローカルゲートウェイ５２０−ｂのネットワークアドレスを受信し得る。追加または代替の例において、アンカーｅノードＢ５０５−ａは、モビリティ管理エンティティ５４５によってアンカーｅノードＢ５０５−ａにルーティングされる、支援ｅノードＢ５０５−ｂからモビリティ管理エンティティ５４５への１つまたは複数のＳ１制御メッセージを介して、支援ｅノードＢ５０５−ｂのローカルゲートウェイ５２０−ｂのネットワークアドレスを受信し得る。
【０１０３】
[0119]アンカーｅノードＢ５０５−ａが支援ｅノードＢ５０５−ｂのローカルゲートウェイ５２０−ｂのネットワークアドレスを決定すると、アンカーｅノードＢ５０５−ａは、ネットワークアドレスを、Ｓ１制御メッセージ中でモビリティ管理エンティティ５４５に伝え得る。いくつかの例において、アンカーｅノードＢ５０５−ａは、支援ｅノードＢ５０５−ｂのローカルゲートウェイ５２０−ｂのネットワークアドレスを、非アクセス層（ＮＡＳ）メッセージを含む、モビリティ管理エンティティ５４５へのすべてのＳ１メッセージ中に含め得る。
【０１０４】
[0120]いくつかの例において、アンカーｅノードＢ５０５−ａは、アンカーｅノードＢ５０５−ａそれとも支援ｅノードＢ５０５−ｂにおいてＳＩＰＴＯを実施するか決定し得る。たとえば、アンカーｅノードＢ５０５−ａは、支援ｅノードＢ５０５−ｂのローカルゲートウェイが、アンカーｅノードＢ５０５−ａのローカルゲートウェイ５２０−ａには利用可能でない、ＵＥ５１５の接続に関連付けられたパケットデータネットワークへのアクセスを有するという決定に応答して、支援ｅノードＢ５０５−ｂにおいてＳＩＰＴＯを実施すると決定し得る。追加または代替の例において、アンカーｅノードＢ５０５−ａは、支援ｅノードＢ５０５−ｂのローカルゲートウェイ５２０−ｂの場所が、アンカーｅノードＢ５０５−ａのローカルゲートウェイ５２０−ａの場所よりもＵＥ５１５の場所に近いという決定に応答して、支援ｅノードＢ５０５−ｂにおいてＳＩＰＴＯを実施すると決定し得る。さらに他の例では、アンカーｅノードＢ５０５−ａは、アンカーｅノードＢ５０５−ａにおいてＳＩＰＴＯをサポートすることができないことに応答して、支援ｅノードＢ５０５−ｂにおいてＳＩＰＴＯを実施すると決定し得る。
【０１０５】
[0121]アンカーｅノードＢ５０５−ａは、支援ｅノードＢ５０５−ｂにおいてＳＩＰＴＯを実施すると決定し、それ自体のローカルゲートウェイ５２０−ａのネットワークアドレスを、ＵＥ５１５向けの１つまたは複数のＳ１  ＮＡＳトランスポートメッセージ中で、支援ｅノードＢ５０５−ｂのローカルゲートウェイ５２０−ｂのネットワークアドレスで置き換えればよい（たとえば、ＵＥが支援ｅノードＢ５０５−ｂに接続するとき、またはアンカーｅノードＢ５０５−ａが支援ｅノードＢ５０５−ｂにおいてＵＥ接続を確立すると決定したとき）。いくつかの例において、１つまたは複数のＳ１  ＮＡＳメッセージは、アンカーｅノードＢ５０５−ａからモビリティ管理エンティティ５４５へのすべてのＳ１  ＮＡＳメッセージを含み得る。したがって、アンカーｅノードＢ５０５−ａとモビリティ管理エンティティ５４５との間の既存のＳ１メッセージの使用により、ＳＩＰＴＯ接続を確立するための支援ｅノードＢ５０５−ｂの使用は、モビリティ管理エンティティ５４５に対して透明であり得る。この場合、モビリティ管理エンティティ５４５は、支援ｅノードＢ５０５−ｂのローカルゲートウェイ５２０−ｂに対応する、アンカーｅノードＢ５０５−ａから受信されたローカルゲートウェイネットワークアドレスにおいてＳＩＰＴＯを実施することを選択してよい。
【０１０６】
[0122]いくつかの例において、アンカーｅノードＢ５０５−ａからのＳ１メッセージは、支援ｅノードＢ５０５−ｂにおけるＳＩＰＴＯアクティブ化をトリガし得る。追加または代替の例において、アンカーｅノードＢ５０５−ａは、既存のＳＩＰＴＯ  ＰＤＮ接続をアンカーｅノードＢ５０５−ａから支援ｅノードＢ５０５−ｂに移動させることによって、支援ｅノードＢ５０５−ｂにおけるＳＩＰＴＯアクティブ化をトリガし得る。アンカーｅノードＢ５０５−ａはこれを、ＰＤＮゲートウェイ開始ベアラ非アクティブ化メッセージをＵＥ５１５に送信することによって行うことができる（そのような非アクティブ化がＰＤＮゲートウェイ５５５によって実際に要求されたかどうかにかかわらず）。ＰＤＮゲートウェイ開始ベアラ非アクティブ化メッセージは、ＰＤＮ接続の再アクティブ化が要求されることを示し得、これは、ＵＥ５１５に差替えＰＤＮ接続を要求させ得る。差替えＳＩＰＴＯ  ＰＤＮ接続が次いで、アンカーｅノードＢ５０５−ａによってモビリティ管理エンティティ５４５に与えられたネットワークアドレスを使って支援ｅノードＢ５０５−ｂのローカルゲートウェイ５２０−ｂにおいて確立され得る。これらの同じ原理が、複数の支援ｅノードＢ５０５−ｂの間でＳＩＰＴＯ  ＰＤＮをオフロードし、および／または支援ｅノードＢ５０５−ｂからアンカーｅノードＢ５０５−ａにＳＩＰＴＯ  ＰＤＮを移動させるときに適用され得る（たとえば、新規ローカルゲートウェイ５２０への移動を実現するための、再アクティブ化についての要求を用いて、ベアラを非アクティブ化する）。
【０１０７】
[0123]他の例では、アンカーｅノードＢ５０５−ａは、そのローカルゲートウェイ５２０−ａのネットワークアドレスと支援ｅノードＢ５０５−ｂのローカルゲートウェイ５２０−ｂのネットワークアドレスとをモビリティ管理エンティティ５４５に与え得、モビリティ管理エンティティ５４５は、ＳＩＰＴＯ接続をアンカーｅノードＢ５０５−ａのローカルゲートウェイ５２０−ａにおいて、それとも支援ｅノードＢ５０５−ｂのローカルゲートウェイ５２０−ｂにおいて確立するのかを決定し得る。アンカーｅノードＢ５０５−ａは、そのローカルゲートウェイ５２０−ａのネットワークアドレスと支援ｅノードＢ５０５−ｂのローカルゲートウェイ５２０−ｂのネットワークアドレスとを、ＵＥ５１５向けの１つまたは複数のＳ１  ＮＡＳトランスポートメッセージ中でモビリティ管理エンティティ５４５に与え得る。いくつかの例において、ＵＥ５１５向けの１つまたは複数のＳ１  ＮＡＳトランスポートメッセージは、ＵＥ５１５向けのすべてのＳ１  ＮＡＳトランスポートメッセージを含み得る。
【０１０８】
[0124]アンカーｅノードＢ５０５−ａは、いくつかの例において、各ローカルゲートウェイネットワークアドレスが対応するノードのタイプ（たとえば、アンカーもしくは支援）および／またはＵＥ５１５が現在どこに接続されているかについての情報を、Ｓ１メッセージ中で示し得る。モビリティ管理エンティティ５４５に与えられるローカルゲートウェイネットワークアドレスは、ＵＥ５１５がｅノードＢ５０５に接続するか、またはそこから切断するたびにアップデートされ得る。モビリティ管理エンティティ５４５は、ＳＩＰＴＯをアンカーｅノードＢ５０５−ａそれとも支援ｅノードＢ５０５−ｂにおいて実施するか決定し、次いで、対応するローカルゲートウェイ５２０−ａまたは５２０−ｂのネットワークアドレスを選択し得る。この決定は、接続のためにモビリティ管理エンティティ５４５において定義される１つまたは複数のＳＩＰＴＯ許可に基づき得る。許可は、たとえば、アンカーｅノードＢ５０５−ａまたは支援ｅノードＢ５０５−ｂのうちの１つに対する選好を含み得る。選好は、ホーム加入者サーバ（ＨＳＳ）から取得された、ＵＥ５１５についての加入情報に基づいて定義され得る。追加または代替として、選好は、ＵＥ５１５の場所、そのＰＤＮ用のＵＥ５１５に対する１つもしくは複数のＳＩＰＴＯ許可、ＵＥ加入場所、アンカーｅノードＢ５０５−ａもしくは支援ｅノードＢ５０５−ｂに対する選好を示すポリシー、または他の要因に基づいて定義され得る。
【０１０９】
[0125]モビリティ管理エンティティ５４５が、支援ｅノードＢ５０５−ｂのローカルゲートウェイ５２０−ｂのネットワークアドレスを入手すると、モビリティ管理エンティティ５４５は、ＵＥ５１５が初期取付け手順またはＵＥが要求したＰＤＮ接続性手順の一部としてＳＩＰＴＯを要求したとき、ＤＮＳ手順ではなくネットワークアドレスをローカルゲートウェイ選択のために使うことができる。
【０１１０】
[0126]モビリティ管理エンティティ５４５がＳＩＰＴＯを実施するために支援ｅノードＢ５０５−ｂのローカルゲートウェイ５２０−ｂのネットワークアドレスを選択した後、ＳＩＰＴＯ  ＰＤＮ接続が支援ｅノードＢ５０５−ｂにおいて確立され得る。たとえば、直接経路（たとえば、ユーザプレーン経路）が、ＳＩＰＴＯトラフィック用に支援ｅノードＢ５０５−ｂと支援ｅノードＢ５０５−ｂのローカルゲートウェイ５２０−ｂとの間に確立され得る。
【０１１１】
[0127]図６は、本開示の一態様による、ワイヤレス通信システム６００におけるＳＩＰＴＯの実装に関連付けられたベアラの例を概念的に示すブロック図である。
【０１１２】
[0128]ワイヤレス通信システム６００は、Ｅ−ＵＴＲＡ  Ｕｕインターフェースを介してアンカーｅノードＢ６０５−ａおよび支援ｅノードＢ６０５−ｂと通信可能に結合されたＵＥ６１５を含み得る。支援ｅノードＢ６０５−ｂは、ローカルゲートウェイ６２０に関連付けられ得る。アンカーｅノードＢ６０５−ａは、Ｓ１−ＭＭＥインターフェースを介してモビリティ管理エンティティ６４５と、およびＳ１−Ｕインターフェースを介してサービングゲートウェイ６５０と通信可能に結合され得る。サービングゲートウェイ６５０は、Ｓ１１インターフェースを介してモビリティ管理エンティティ６４５と、およびＳ５インターフェースを介してＰＤＮゲートウェイ６５５と通信可能に結合され得る。ＰＤＮゲートウェイ６５５は、Ｇｘインターフェースを介してＰＣＲＦ６６０と、およびＳＧｉインターフェースを介してＰＤＮ６３５と通信可能に結合され得る。ＰＣＲＦ６６０も、Ｒｘインターフェースを介してＰＤＮ６３５と通信可能に結合され得る。ワイヤレス通信システム６００は、前の図を参照して上述したワイヤレス通信システム１００、２００、４００、５００のうちの１つまたは複数の一例であり得る。したがって、ワイヤレス通信システム６００の構成要素のうちの１つまたは複数は、前の図を参照して上述した１つまたは複数のカウンターパート構成要素の例であり得る。
【０１１３】
[0129]支援ｅノードＢ６０５−ｂのローカルゲートウェイ６２０と支援ｅノードＢ６０５−ｂとの間の直接経路の確立とともに、ＳＩＰＴＯ  ＰＤＮ接続が支援ｅノードＢ６０５−ｂにおいて可能であり得る。ＥＰＳベアラの第１の部分６６５が、支援ｅノードＢ６０５−ｂのローカルゲートウェイ６２０とサービングゲートウェイ６５０との間の接続を提供するために確立されてよく、ＥＰＳベアラの第２の部分６７０が、サービングゲートウェイ６５０とアンカーｅノードＢ６０５−ａとの間の接続を提供するために確立されてよい。ＥＰＳベアラの第２の部分６７０は、アンカーｅノードＢ６０５−ａと支援ｅノードＢ６０５−ｂとの間の接続も提供し得る。
【０１１４】
[0130]上述した直接経路を可能にするために、ローカルゲートウェイ６２０が、ＥＰＳベアラの第１の部分６６５の、ＥＰＳベアラの第２の部分６７０とのマッピングまたは相関について知ることが有用であり得る。したがって、ＥＰＳベアラがセットアップされるとき、相関ＩＤまたは他の識別用パラメータが、ＥＰＳベアラの第２の部分６７０と第１の部分６６５の両方について決定され、支援ｅノードＢ６０５−ｂまたはローカルゲートウェイ６２０に与えられ得る。たとえば、相関ＩＤは、サービングゲートウェイ６５０におけるＥＰＳベアラの第１の部分６６５とＥＰＳベアラの第２の部分６７０との間のマッピングまたは相関を一意に識別するための、ＥＰＳベアラの第２の部分６７０の確立中にＳ１メッセージ中で送られる、サービングゲートウェイ６５０によってＥＰＳベアラに割り当てられる識別子であり得る。たとえば、相関ＩＤは、ＬＴＥおよび同様の規格において実装されるように、取付け手順中に作成されたＳＩＰＴＯ  ＰＤＮ接続のための初期コンテキストセットアップ要求Ｓ１メッセージ中で、またはＵＥが要求したＰＤＮ接続性についてのベアラセットアップ要求中で送られ得る。相関ＩＤは、Ｘ２−ＵまたはＸ２−Ｃインターフェースを介したメッセージ通信により、アンカーｅノードＢ６０５−ａによって支援ｅノードＢ６０５−ｂに与えられ得る。
【０１１５】
[0131]いくつかの例において、アンカーｅノードＢ６０５−ａと支援ｅノードＢ６０５−ｂとの間のＸ２−Ｕインターフェースを介したＥＰＳベアラの第２の部分６７０のセグメントは、めったに行使されなくても（または破線によって示されるようにデータ配信に使われなくても）こともあり得る。ＥＰＳベアラの第２の部分６７０のＸ２−Ｕセグメントは、ＵＥがＲＲＣアイドルモードからページングされる必要があるとき、いくつかのケースにおいて行使され得る。このケースに対して、様々なオプションが利用可能であり得る。たとえば、第１のオプションは、支援ｅノードＢ６０５−ｂが、ＵＥ６１５がページングから起動する前にローカルゲートウェイ６２０によって受信されたデータをキャッシュすることであり得る。支援ｅノードＢ６０５−ｂは、ＵＥ６１５が起動した後、キャッシュ済みデータをＵＥ６１５に直接送達し得る。例の追加または代替セットにおいて、ＥＰＳベアラの第２の部分６７０は、サービングゲートウェイ６５０と支援ｅノードＢ６０５−ｂとの間の直接Ｓ１−Ｕ経路（図示せず）を介してセットアップされ得る。アンカーｅノードＢ６０５−ａは、サービングゲートウェイ６５０と支援ｅノードＢ６０５−ｂとの間の直接Ｓ１−Ｕ経路を確立するために、ＥＰＳベアラの第２の部分６７０のＳ１−Ｕ経路を終端させるためのトランスポートレイヤアドレス（ＴＬＡ）とトンネルエンドポイント識別子（ＴＥＩＤ）とをサービングゲートウェイ６５０に与え得る。また、ワイヤレス通信システム６００は、サービングゲートウェイ６５０と支援ｅノードＢ６０５−ｂとの間の直接経路Ｓ１−Ｕを確立するために、支援ｅノードＢ６０５−ｂにおけるＳＩＰＴＯサポートにかかわらず、支援ｅノードＢ６０５−ｂ中でのＳ１−Ｕ終端をサポートし得る。例の追加または代替セットにおいて、ＥＰＳベアラの第２の部分６７０はアンカーｅノードＢ６０５−ａにおいて終端されてよく、アンカーｅノードＢ６０５−ａと支援ｅノードＢ６０５−ｂとの間のＳ１−Ｕ部分は、データパケットフォワーディングのために同様にセットアップされ得る。このオプションは、支援ｅノードＢ６０５−ｂにおけるＳＩＰＴＯサポートとは別に、システム構成がアンカーｅノードＢ６０５−ａ中でのＳ１−Ｕ終端のみをサポートする例において利用可能であり得る。
【０１１６】
[0132]図７は、本開示の一態様による、支援ｅノードＢ７０５−ｂにおけるＳＩＰＴＯ  ＰＤＮ接続用のベアラをセットアップするための、ワイヤレス通信システム７００のノードの間の通信の例を概念的に示すブロック図である。ワイヤレス通信システム７００は、ＵＥ７１５と、アンカーｅノードＢ７０５−ａおよび関連付けられたローカルゲートウェイ７２０−ａ（「アンカーローカルゲートウェイ７２０−ａ」）と、支援ｅノードＢ７０５−ｂおよび関連付けられたローカルゲートウェイ７２０−ｂ（「支援ローカルゲートウェイ７２０−ｂ」）と、モビリティ管理エンティティ７４５と、サービングゲートウェイ７５０とを含み得る。ワイヤレス通信システム７００は、前の図を参照して上述したワイヤレス通信システム１００、２００、４００、５００、６００のうちの１つまたは複数の一例であり得る。したがって、ワイヤレス通信システム７００の構成要素のうちの１つまたは複数は、前の図を参照して上述した１つまたは複数のカウンターパート構成要素の例であり得る。
【０１１７】
[0133]ＳＩＰＴＯ  ＰＤＮ接続をセットアップするための手順は、モビリティ管理エンティティ７４５が、ＵＥ７１５をページング７５２することで始まり得る。ページングに続いて、ＵＥ７１５は、Ｕｕインターフェースを介して、ＰＤＮ接続性要求メッセージ７５４をアンカーｅノードＢ７０５−ａに送信し得、ｅノードＢ７０５−ａは、ＰＤＮ接続性要求メッセージのＳ１バージョン７５６をモビリティ管理エンティティ７４５に送信し得る。モビリティ管理エンティティ７４５は、セッション作成要求メッセージ７５８を、汎用パケット無線サービス（ＧＰＲＳ）トンネリングプロトコル（ＧＴＰ）を介してサービングゲートウェイ７５０に送信し得る。
【０１１８】
[0134]サービングゲートウェイ７５０に送信されるセッション作成要求メッセージ７５８は、アンカーｅノードＢ７０５−ａによって与えられるか、またはモビリティ管理エンティティ７４５において決定された、支援ローカルゲートウェイ７２０−ｂのネットワークアドレスを含み得る。サービングゲートウェイ７５０は次いで、サービングゲートウェイ７５０と支援ローカルゲートウェイ７２０−ｂとの間のＥＰＳベアラの第１の部分（たとえば、図６のＥＰＳベアラの第１の部分６６５）をセットアップするために、セッション作成要求メッセージ７５８中で指定されたネットワークアドレスを有するＧＴＰセッション作成要求メッセージ７６０を支援ローカルゲートウェイ７２０−ｂに送信し得る。ＥＰＳベアラの第１の部分の作成に続いて、支援ローカルゲートウェイ７２０−ｂは、ＥＰＳベアラの第１の部分の確立を確認するＧＴＰセッション作成応答７６２をサービングゲートウェイ７５０に送信し得る。サービングゲートウェイ７５０は、モビリティ管理エンティティ７４５にＧＴＰセッション作成応答メッセージ７６４を送信し得る。モビリティ管理エンティティ７４５に送信されるＧＴＰセッション作成応答７６４は、サービングゲートウェイ７５０によってＥＰＳベアラの第１の部分に割り当てられた相関ＩＤを含み得る。
【０１１９】
[0135]モビリティ管理エンティティ７４５は次いで、Ｓ１  ＰＤＮ接続性受付７６６メッセージをアンカーｅノードＢ７０５−ａに送信し得、アンカーｅノードＢ７０５−ａは、Ｕｕインターフェースを介してＰＤＮ接続性受付メッセージ７６８をＵＥ７１５にフォワーディングし得る。モビリティ管理エンティティ７４５は、ＥＰＳベアラの第１の部分に割り当てられた相関ＩＤを含むＳ１  Ｅ−ＲＡＢセットアップ要求メッセージ７７０を、アンカーｅノードＢ７０５−ａに同時または別個に送信し得る。Ｓ１  Ｅ−ＲＡＢセットアップ要求７７０は、ＳＩＰＴＯ  ＰＤＮ接続に関連付けられたサービングゲートウェイ７５０とＵＥ７１５との間の経路を有するＥＰＳベアラの第２の部分（たとえば、図６のＥＰＳベアラの第２の部分６７０）をサポートするための新規Ｅ−ＲＡＢベアラ（新規無線ベアラとＳ１ベアラとを含む）を作成し得る。アンカーｅノードＢ７０５−ａは、Ｅ−ＲＡＢセットアップ要求メッセージ７７０が支援ｅノードＢ７０５−ｂにおけるＳＩＰＴＯベアラに対応すると決定し、Ｘ２インターフェースを介してＳ１  Ｅ−ＲＡＢセットアップ要求メッセージ７７２を支援ｅノードＢ７０５−ｂにフォワーディングし得る。追加または代替の例において、アンカーｅノードＢ７０５−ａは、支援ｅノードＢ７０５−ｂによって第２のＥＰＳベアラを確立するのに必要とされる構成情報（相関ＩＤを含む）を含み得るＸ２メッセージを、支援ｅノードＢ７０５−ｂに送り得る。
【０１２０】
[0136]支援ｅノードＢ７０５−ｂにおける、ＳＩＰＴＯ  ＰＤＮに対応する無線ベアラセットアップおよび構成についての情報は、アンカーｅノードＢ７０５−ａまたは支援ｅノードＢ７０５−ｂによって決定され得る。たとえば、無線ベアラ構成情報がアンカーｅノードＢ７０５−ａによって決定されると、アンカーｅノードＢ７０５−ａは、Ｘ２インターフェースを介して無線ベアラ構成情報を支援ｅノードＢ７０５−ｂに送信し得る。無線ベアラ構成情報は、ＲＲＣメッセージまたは直接Ｘ２メッセージ（たとえば、Ｅ−ＲＡＢセットアップ要求メッセージ７７２）中に埋め込まれ得る。支援ｅノードＢ７０５−ｂは次いで、要求されたＥ−ＲＡＢベアラをサポートするように無線ベアラをセットアップし、Ｘ２インターフェースを介してＥ−ＲＡＢセットアップ応答メッセージ７７４をアンカーｅノードＢ７０５−ａに送信する。Ｅ−ＲＡＢセットアップ応答メッセージ７７４は、アンカーｅノードＢ７０５−ａによって与えられないどの残りの無線ベアラ構成情報も含み得る。別の例では、無線ベアラ構成情報が支援ｅノードＢ７０５−ｂによって決定されると、支援ｅノードＢ７０５−ｂは、ＵＥ７１５への送信のために、Ｘ２インターフェースを介して（ＲＲＣメッセージ中に、または直接Ｘ２メッセージ中に埋め込まれる）無線ベアラ構成情報をアンカーｅノードＢ７０５−ａに供給し得る。たとえば、支援ｅノードＢ７０５−ｂは、Ｅ−ＲＡＢセットアップ応答メッセージ７７４を介して無線ベアラ構成情報をアンカーｅノードＢ７０５−ｂに提供し得る。
【０１２１】
[0137]アンカーｅノードＢ７０５−ａは、ＰＤＮ接続性受付メッセージ７７６とＲＲＣ接続再構成メッセージ７７８とを、Ｕｕインターフェースを介してＵＥ７１５に送信してよい。ＲＲＣ接続再構成メッセージ７７８は、ＵＥ７１５との無線ベアラを確立することによって、ＵＥ７１５を新規ＳＩＰＴＯ  ＰＤＮ接続用に構成することができる。アンカーｅノードＢ７０５−ａからＵＥ７１５への通信は、ＵＥ７１５においてベアラのＮＡＳ構成要素を確立するための非アクセス層（ＮＡＳ）メッセージをさらに含み得る。ＵＥ７１５は、Ｕｕインターフェースを介してＲＲＣ接続再構成完了メッセージ７８０で応答し得、アンカーｅノードＢ７０５−ａは、Ｓ１  Ｅ−ＲＡＢセットアップ応答メッセージ７８２をモビリティ管理エンティティ７４５に送信し得る。ＵＥ７１５は、Ｕｕインターフェースを介してＰＤＮ接続性完了メッセージ７８４で応答し得、アンカーｅノードＢ７０５−ａは、モビリティ管理エンティティ７４５にＳ１  ＰＤＮ接続性完了メッセージ７８６を送信し得る。
【０１２２】
支援ｅノードＢにおけるＳＩＰＴＯ  ＰＤＮ接続の非アクティブ化
[0138]図８は、本開示の一態様による、ＳＩＰＴＯ接続を非アクティブ化するための、ワイヤレス通信システム８００における通信の例を概念的に示すブロック図である。ワイヤレス通信システム８００は、ＵＥ８１５と、アンカーｅノードＢ８０５−ａおよび関連付けられたローカルゲートウェイ８２０−ａ（「アンカーローカルゲートウェイ８２０−ａ」）と、支援ｅノードＢ８０５−ｂおよび関連付けられたローカルゲートウェイ８２０−ｂ（「支援ローカルゲートウェイ８２０−ｂ」）と、モビリティ管理エンティティ８４５と、サービングゲートウェイ８５０とを含み得る。ワイヤレス通信システム８００は、前の図を参照して上述したワイヤレス通信システム１００、２００、４００、５００、６００、７００のうちの１つまたは複数の一例であり得る。したがって、ワイヤレス通信システム８００の構成要素のうちの１つまたは複数は、前の図を参照して上述した１つまたは複数のカウンターパート構成要素の例であり得る。
【０１２３】
[0139]支援ｅノードＢ８０５−ｂにおけるＳＩＰＴＯ  ＰＤＮ接続は、ワイヤレス通信システム８００が支援ｅノードＢ８０５−ｂにおけるＰＤＮ接続用のトラフィックのオフロードをもはやサポートすることができなくなると、非アクティブ化され得る。アンカーｅノードＢ８０５−ａ、支援ｅノードＢ８０５−ｂ、またはモビリティ管理エンティティ８４５は、ＳＩＰＴＯ  ＰＤＮ接続を非アクティブ化するという決定を行い得る。図８の例において、アンカーｅノードＢ８０５−ａは非アクティブ化を開始する。
【０１２４】
[0140]手順はブロック８５２において始まり、ここでアンカーｅノードＢ８０５−ａは、支援ｅノードＢ８０５−ｂにおけるＳＩＰＴＯ  ＰＤＮ接続を非アクティブ化すると決定し得る。アンカーｅノードＢ８０５−ａは、いくつかの可能要因のうちの１つまたは複数に基づいて、ＳＩＰＴＯ  ＰＤＮ接続を非アクティブ化すると決定し得る。たとえば、アンカーｅノードＢ８０５−ａは、ＳＩＰＴＯ  ＰＤＮ接続を扱うための異なる支援ｅノードＢ（図示せず）を識別するか、またはＳＩＰＴＯ  ＰＤＮ接続自体をサポートすると決定し得る。追加または代替の例において、アンカーｅノードＢ８０５−ａは、（たとえば、そのモビリティ制御無線リソース管理（ＲＲＭ）機能から）ＵＥ８１５が支援ｅノードＢ８０５−ｂの地理的カバレージエリアの外に移動したと、および／またはその、支援ｅノードＢ８０５−ｂにおけるＳＩＰＴＯ  ＰＤＮ接続を非アクティブ化するために、支援ｅノードＢ８０５−ｂにおいて（たとえば、承認制御またはローディングのせいで）ＱｏＳレベルを維持するのに失敗したと決定し得る。いくつかの例において、アンカーｅノードＢ８０５−ａは、支援ｅノードＢ８０５−ｂによって与えられた情報に少なくとも部分的に基づいて、ＳＩＰＴＯ  ＰＤＮ接続を非アクティブ化すると決定してよい。たとえば、支援ｅノードＢ８０５−ｂは、Ｘ２制御プレーンメッセージ通信を通してアンカーｅノードＢ８０５−ａに情報を提供し得る（たとえば、ローディング情報を提供するか、またはベアラがそれ以上スケジュールされ得ないことをアンカーｅノードＢ８０５−ａに明示的に知らせる）。
【０１２５】
[0141]本例において、アンカーｅノードＢ８０５−ａは、モビリティ管理エンティティ８４５にＥ−ＲＡＢ解放メッセージ８５４を送ることによって、モビリティ管理エンティティ８４５がＳＩＰＴＯ  ＰＤＮ接続を非アクティブ化することを要求し得る。たとえば、アンカーｅノードＢ８０５−ａは、モビリティ管理エンティティ８４５へのＥ−ＲＡＢ解放メッセージ８５４中で、再確立の必要を示し得る。モビリティ管理エンティティ８４５は次いで、ＳＩＰＴＯ  ＰＤＮ接続に関連付けられたベアラを取り除くようサービングゲートウェイ８５０に命令するＧＴＰベアラ削除要求メッセージ８５６を、サービングゲートウェイ８５０に送信し得る。サービングゲートウェイ８５０は、サービングゲートウェイ８５０と支援ローカルゲートウェイ８２０−ｂとの間のＥＰＳベアラの第１の部分（たとえば、図６のＥＰＳベアラの第１の部分６６５）を取り除くために、支援ローカルゲートウェイ８２０−ｂにＧＴＰベアラ削除コマンドメッセージ８５８を送信し得る。支援ローカルゲートウェイ８２０−ｂは次いで、ＥＰＳベアラの第１の部分が取り除かれたことを確認するために、サービングゲートウェイ８５０にＧＴＰベアラ削除応答メッセージ８６０を送信し得る。
【０１２６】
[0142]サービングゲートウェイ８５０は次いで、ＵＥ８１５とサービングゲートウェイ８５０との間のＥＰＳベアラの第２の部分（たとえば、図６のＥＰＳベアラの第２の部分６７０）を取り除くために、モビリティ管理エンティティ８４５にＧＴＰベアラ削除要求メッセージ８６２を送信し得る。モビリティ管理エンティティ８４５は次いで、Ｅ−ＲＡＢ解放コマンドを含み得るＳ１ベアラ非アクティブ化要求または取外し要求メッセージ８６４を、アンカーｅノードＢ８０５−ａに送信し得る。アンカーｅノードＢ８０５−ａは、Ｕｕインターフェースを介して、ベアラ非アクティブ化要求または取外し要求メッセージ８６６をＵＥ８１５に送信し得る。ＵＥ８１５へのベアラ非アクティブ化要求または取外し要求メッセージ８６６は、ベアラの非アクティブ化に関連付けられた、あらかじめ規定された原因を特定する、特定されたＥＰＳセッション管理（ＥＳＭ）原因コードを含み得る。本例において、ＥＳＭ原因は再アクティブ化が要求されることを指定し得、ＰＤＮ接続を再要求するようＵＥ８１５にシグナリングし、そうすることによってＥＰＳベアラの再アクティブ化をトリガする。ＵＥ８１５は、第２のＥＰＳベアラに関連付けられた無線ベアラを取り除き、ＲＲＣ接続再構成完了メッセージ８６８でアンカーｅノードＢ８０５−ａに応答し得る。アンカーｅノードＢは次いで、モビリティ管理エンティティ８４５にＳ１ベアラ非アクティブ化受付または取外し受付メッセージ８７０を送信し得、このメッセージは、アップリンク非アクセス層（ＮＡＳ）トランスポートメッセージを含み得る。モビリティ管理エンティティ８４５は次いで、ＳＩＰＴＯ  ＰＤＮ接続に関連付けられた第２のＥＰＳベアラが解放されたことを示すＧＴＰベアラ削除応答メッセージ８７２を、サービングゲートウェイ８５０に送信し得る。その時点で、ＵＥ８１５は、アンカーｅノードＢ８０５−ａへのＰＤＮ接続の再アクティブ化を要求することが可能であり得、差替えＰＤＮ接続が、アンカーｅノードＢ８０５−ａおよび／またはモビリティ管理エンティティ８４５によって選ばれた新規ＳＩＰＴＯ構成に従って確立され得る。
【０１２７】
[0143]追加または代替の例において、支援ｅノードＢ８０５−ｂは、ＰＤＮゲートウェイ開始ベアラ非アクティブ化手順を開始することによって、ＳＩＰＴＯ  ＰＤＮ接続を非アクティブ化すると決定し得る。たとえば、支援ｅノードＢ８０５−ｂは、ＬＴＥ／ＬＴＥ−Ａシステム向けに定義されるようなＰＤＮゲートウェイ開始ベアラ非アクティブ化手順を、ＳＩＰＴＯベアラ用に支援ローカルゲートウェイ８２０−ｂにおいて使い得る。支援ｅノードＢ８０５−ｂは、原因値をもつＸ２−Ｃメッセージ通信により、アンカーｅノードＢ８０５−ａに、ＳＩＰＴＯ  ＰＤＮ接続を非アクティブ化するよう知らせ得る。ＳＩＰＴＯ  ＰＤＮ接続を非アクティブ化するための要求で特定された原因値は、支援ｅノードＢ８０５−ｂがＳＩＰＴＯ  ＰＤＮ接続を非アクティブ化するとともにアンカーｅノードＢ８０５−ａがＳＩＰＴＯ  ＰＤＮ接続を再アクティブ化しようとするときのピンポン効果を防止し得る。支援ｅノードＢ８０５−ｂは、ＳＩＰＴＯ  ＰＤＮ接続を非アクティブ化するためのその決定を、モビリティ管理エンティティ８４５に知らせ得る。たとえば、支援ｅノードＢ８０５−ｂは、支援ローカルゲートウェイ８２０−ｂに、ＳＧＷインターフェースを介してベアラ削除要求メッセージをモビリティ管理エンティティ８４５へ与えさせ得る。支援ｅノードＢ８０５−ｂは、たとえば、ＳＩＰＴＯ  ＰＤＮ接続によりルーティングされるトラフィックがもはやスケジュールされ得ないと決定すると、ＳＩＰＴＯ  ＰＤＮ接続を非アクティブ化すると決定し得る。たとえば、支援ｅノードＢ８０５−ｂは、ＳＩＰＴＯ  ＰＤＮ接続のベアラが支援ｅノードＢ８０５−ｂにおいてのみスケジュールされる、およびＵＥ８１５が支援ｅノードＢ８０５−ｂと同期していないと決定し得る。追加または代替として、支援ｅノードＢ８０５−ｂは、支援ｅノードＢ８０５−ｂにおけるＵＥ８１５のロード、ＱｏＳもしくは承認制御、または乏しいＲＦ条件により、ＳＩＰＴＯ  ＰＤＮ接続を非アクティブ化すると決定し得る。
【０１２８】
[0144]追加または代替の例において、モビリティ管理エンティティ８４５が、ＳＩＰＴＯ  ＰＤＮ接続を非アクティブ化すると決定し得る。モビリティ管理エンティティ８４５は、Ｓ１−ＭＭＥメッセージに少なくとも部分的に基づいて、ＳＩＰＴＯ  ＰＤＮ接続をいつ非アクティブ化するか決定し得る。たとえば、モビリティ管理エンティティ８４５は、ＵＥ８１５が支援ｅノードＢ８０５−ｂから離れて移動したことを検出したとき、ＳＩＰＴＯ  ＰＤＮ接続を非アクティブ化し得る。たとえば、モビリティ管理エンティティ８４５が、ＵＥ８１５に対してアンカーｅノードＢ８０５−ａおよび支援ｅノードＢ８０５−ｂが変わったことを検出した場合（たとえば、新規ｅノードＢからＳ１経路切替え要求メッセージまたは初期ＵＥメッセージを受信したことに応答して）、モビリティ管理エンティティ８４５は、支援ｅノードＢ８０５−ｂにおいてＳＩＰＴＯ  ＰＤＮ接続を非アクティブ化し得る。モビリティ管理エンティティ８４５は、サービングゲートウェイ８５０にＧＴＰベアラ削除要求メッセージ８５６を送信することによって、ＳＩＰＴＯ  ＰＤＮ接続の非アクティブ化を開始し得る。
【０１２９】
ｅノードＢの間でのＳＩＰＴＯ  ＰＤＮ接続の移動
[0145]図９は、本開示の一態様による、ＳＩＰＴＯ  ＰＤＮ接続をアンカーｅノードＢ９０５−ａから支援ｅノードＢ９０５−ｂに移動させるための、ワイヤレス通信システム９００における通信の例を概念的に示すブロック図である。ワイヤレス通信システム９００は、ＵＥ９１５と、アンカーｅノードＢ９０５−ａおよび関連付けられたローカルゲートウェイ９２０−ａ（「アンカーローカルゲートウェイ９２０−ａ」）と、支援ｅノードＢ９０５−ｂおよび関連付けられたローカルゲートウェイ９２０−ｂ（「支援ローカルゲートウェイ９２０−ｂ」）と、モビリティ管理エンティティ９４５と、サービングゲートウェイ９５０とを含み得る。ワイヤレス通信システム９００は、前の図を参照して上述したワイヤレス通信システム１００、２００、４００、５００、６００、７００、８００のうちの１つまたは複数の一例であり得る。したがって、ワイヤレス通信システム９００の構成要素のうちの１つまたは複数は、前の図を参照して上述した１つまたは複数のカウンターパート構成要素の例であり得る。
【０１３０】
[0146]図９の手順は、アンカーローカルゲートウェイ９２０−ａが、ＵＥ９１５用のＳＩＰＴＯ  ＰＤＮ接続を、アンカーローカルゲートウェイ９２０−ａから、支援ｅノードＢ９０５−ｂに関連付けられた支援ローカルゲートウェイ９２０−ｂに移動させると決定する（ブロック９５２）ことで始まる。この決定は、アンカーｅノードＢ９０５−ａまたはアンカーローカルゲートウェイ９２０−ａによって観察された１つまたは複数の要因に基づき得る。たとえば、アンカーｅノードＢ９０５−ａは、アンカーローカルゲートウェイ９２０−ａにおけるＱｏＳレベルを維持するのに（たとえば、承認制御またはローディングのせいで）失敗したこと、支援ローカルゲートウェイ９２０−ｂがＵＥ９１５の場所に対してより良好な合致を示す、または他の要因を（たとえば、そのモビリティ制御無線リソース管理（ＲＲＭ）機能から）決定し得る。いくつかの例において、アンカーｅノードＢ９０５−ａは、ＳＩＰＴＯ  ＰＤＮ接続を移動させるというその決定において、（たとえば、支援ローカルゲートウェイ９２０−ｂおよび支援ｅノードＢ９０５−ｂの能力またはローディングについての情報を提供するＸ２制御プレーンメッセージ通信を通して）支援ｅノードＢ９０５−ｂによって支援されてよい。
【０１３１】
[0147]ＳＩＰＴＯ  ＰＤＮ接続を支援ローカルゲートウェイ９２０−ｂに移動させると決定すると、アンカーローカルゲートウェイ９２０−ａは、ＳＩＰＴＯ  ＰＤＮ接続に対応するサービングゲートウェイ９５０と支援ローカルゲートウェイ９２０−ｂとの間の第１のＥＰＳベアラ（たとえば、図６のＥＰＳの第１の部分６６５）が削除されることを要求するＧＴＰベアラ削除要求メッセージ９５４を、サービングゲートウェイ９５０に送信し得る。サービングゲートウェイ９５０は、第１のＥＰＳベアラを削除し、ＳＩＰＴＯ  ＰＤＮ接続に対応するサービングゲートウェイ９５０とＵＥ９１５との間の第２のＥＰＳ（たとえば、図６のＥＰＳベアラの第２の部分６７０）を削除するために、ＧＴＰベアラ削除要求メッセージ９５６をモビリティ管理エンティティ９４５に送信し得る。モビリティ管理エンティティ９４５は次いで、Ｓ１ベアラ非アクティブ化要求または取外し要求メッセージ９５８を、アンカーｅノードＢ９０５−ａに送信し得る。ベアラ非アクティブ化要求または取外し要求メッセージ９５８は、ＳＩＰＴＯ  ＰＤＮ接続に対応する第２のＥＰＳベアラ向けのＥ−ＲＡＢ解放コマンドを含み得る。
【０１３２】
[0148]アンカーｅノードＢ９０５−ａは、ＳＩＰＴＯ  ＰＤＮ接続の第２のＥＰＳベアラに関連付けられた無線ベアラをティアダウンするために、Ｕｕインターフェースを介してベアラ非アクティブ化要求または取外し要求メッセージ９６０をＵＥ９１５に送信し得る。ベアラ非アクティブ化要求または取外し要求メッセージ９６０は、ＳＩＰＴＯ  ＰＤＮ接続の再アクティブ化が要求されることを示すＥＰＳセッション管理（ＥＳＭ）原因を示し得る。ＳＩＰＴＯ  ＰＤＮ接続の第２のＥＰＳベアラに関連付けられた無線ベアラを解放すると、ＵＥ９１５は、Ｕｕインターフェースを介してアンカーｅノードＢ９０５−ａにＲＲＣ接続再構成完了メッセージ９６２を転送し得る。アンカーｅノードＢ９０５−ａは次いで、ＳＩＰＴＯ  ＰＤＮ接続の第２のＥＰＳベアラが非アクティブ化されたことを示すＳ１ベアラ非アクティブ化受付または取外し受付メッセージ９６４を、モビリティ管理エンティティ９４５に送信し得る。ベアラ非アクティブ化受付または取外し受付メッセージ９６４は、アップリンク非アクセス層（ＮＡＳ）トランスポートメッセージを含み得る。モビリティ管理エンティティ９４５は次いで、第２のＥＰＳベアラの削除を確認するＧＴＰベアラ削除応答メッセージ９６６をサービングゲートウェイ９５０に送信し得る。
【０１３３】
[0149]ＵＥ９１５へのベアラ非アクティブ化要求または取外し要求メッセージ９６０中で、ＳＩＰＴＯ  ＰＤＮ接続の再アクティブ化がアンカーｅノードＢ９０５−ａによって要求されるので、ＵＥ９１５は、ブロック９６８においてＰＤＮ接続の再確立を要求し得る。モビリティ管理エンティティ９４５は、ＰＤＮ接続がＳＩＰＴＯに適格であると決定し、支援ローカルゲートウェイ９２０−ｂのネットワークアドレスにおいてＳＩＰＴＯ  ＰＤＮ接続をセットアップしてよく、これは図７において定義される手順と一貫性がある。
【０１３４】
[0150]図９のＳＩＰＴＯ  ＰＤＮ接続はアンカーｅノードＢ９０５−ａから支援ｅノードＢ９０５−ｂに移動されるが、同様の手順が、ＳＩＰＴＯ  ＰＤＮ接続を、支援ｅノードＢ９０５−ｂからアンカーｅノードＢ９０５−ａに、または２つの支援ｅノードＢ９０５−ｂの間で移動させるのに使われ得る。ＳＩＰＴＯ  ＰＤＮ接続に関連付けられたベアラをティアダウンし、ＵＥ９１５におけるＰＤＮ接続の再アクティブ化を要求することによって、ＵＥ９１５は、ＰＤＮ接続を再確立することを試み得、モビリティ管理エンティティ９４５は、アンカーｅノードＢ９０５−ａ、前の支援ｅノードＢ９０５−ｂ、またはモビリティ管理エンティティ９４５自体によって選択されたローカルゲートウェイ（たとえば、アンカーローカルゲートウェイ９２０−ａまたは支援ローカルゲートウェイ９２０−ｂ）のネットワークアドレスにおいてＳＩＰＴＯ用のＰＤＮ接続を構成し得る。
【０１３５】
[0151]図１０は、本開示の一態様による、アンカーｅノードＢ１００５の一例を概念的に示すブロック図である。アンカーｅノードＢ１００５は、前の図を参照しながら上で説明したｅノードＢ１０５、２０５、４０５、５０５、６０５、７０５、８０５、９０５のうちの１つまたは複数の一例であり得る。
【０１３６】
[0152]図１０のアンカーｅノードＢ１００５は、プロセッサ１０１０と、メモリ１０１５と、接続確立モジュール１０２０と、支援接続決定モジュール１０２５と、ＳＩＰＴＯモジュール１０３０と、ＷＷＡＮ無線機１０５０と、バックホール／コアネットワークインターフェース１０５５とを含み得る。これらの構成要素の各々は直接または間接的に通信し得る。
【０１３７】
[0153]プロセッサ１０１０は、接続確立モジュール１０２０、支援接続決定モジュール１０２５、ＳＩＰＴＯモジュール１０３０、ＷＷＡＮ無線機１０５０、および／またはバックホール／コアネットワークインターフェース１０５５の１つまたは複数の態様を実装するための、メモリ１０１５によって記憶されたコンピュータ可読プログラムコードを実行するように構成され得る。プロセッサ１０１０は、アプリケーション１０１７を実行するための、メモリ１０１５によって記憶されたコンピュータ可読プログラムコードを実行し得る。
【０１３８】
[0154]接続確立モジュール１０２０は、ＵＥ（たとえば、前の図を参照して上述したＵＥのうちの１つまたは複数）とアンカーｅノードＢ１００５との間の接続を確立するように構成され得る。いくつかの例において、接続確立モジュール１０２０は、ＵＥ用にアンカーｅノードＢ１００５のローカルゲートウェイにおいてＳＩＰＴＯ  ＰＤＮ接続を確立し得る。
【０１３９】
[0155]支援接続決定モジュール１０２５は、（たとえば、ＷＷＡＮ無線機１０５０を介してＵＥと通信し、および／またはバックホール／コアネットワークインターフェース１０５５を介して支援ｅノードＢと通信することによって）ＵＥと支援ｅノードＢ（たとえば、前の図を参照して上述した支援ｅノードＢのうちの１つまたは複数）との間に接続が存在するのか、それとも保留中であるのかを決定することができる。
【０１４０】
[0156]いくつかの例において、支援接続決定モジュール１０２５は、ＵＥ向けに第２のｅノードＢからデータが受信中であるかどうか決定することによって、ＵＥと支援ｅノードＢとの間に接続が存在するのか、それとも保留中であるのかを決定し得る。追加または代替として、アンカーｅノードＢ１００５は、ＵＥと第２のｅノードＢとの間の接続を確立するための要求をＵＥに送信し得、支援接続決定モジュール１０２５は、送信された要求に基づいて、ＵＥと支援ｅノードＢとの間の接続が保留中であると決定し得る。追加または代替として、支援接続決定モジュール１０２５は、ＵＥが支援ｅノードＢとの接続を確立したという指示を、第２のｅノードＢから（たとえば、Ｘ２メッセージ中で）受信し得る。
【０１４１】
[0157]いくつかの例において、ＵＥと支援ｅノードＢとの間に接続が存在し得、またはＵＥが異なる支援ｅノードＢから現在の支援ｅノードＢへのハンドオーバを実施したことに基づいて、そのような接続を確立するための要求が送信され得る。追加または代替として、ＵＥと支援ｅノードＢとの間に接続が存在し得、またはＵＥが（たとえば、アンカーｅノードＢ１００５から与えられた命令に応答して）支援ｅノードＢへの２次接続を確立したことに基づいて、そのような接続を確立するための要求が送信され得る。
【０１４２】
[0158]ＳＩＰＴＯモジュール１０３０は、支援ｅノードＢのローカルゲートウェイについてのネットワークアドレスをＵＥのためのＳＩＰＴＯ接続性に関連付けるメッセージを、モビリティ管理エンティティに送信するように構成され得る。メッセージは支援ｅノードＢのローカルゲートウェイについてのネットワークアドレスを含み得、支援ｅノードＢに関連付けられたローカルゲートウェイのネットワークアドレスは、モビリティ管理エンティティによって、第２のｅノードＢにおいてＵＥのためのＳＩＰＴＯ接続をセットアップするのに使われ得る。いくつかの例において、支援ｅノードＢに関連付けられたローカルゲートウェイのネットワークアドレスは、Ｓ１メッセージによりモビリティ管理エンティティにフォワーディングされ得る。たとえば、ＳＩＰＴＯモジュール１０３０は、アンカーｅノードＢ１００５に関連付けられたローカルゲートウェイのネットワークアドレスを、Ｓ１メッセージのゲートウェイのトランスポートレイヤアドレスの情報要素中の、支援ｅノードＢに関連付けられたローカルゲートウェイのネットワークアドレスで置き換え得る。代替として、Ｓ１メッセージは、アンカーｅノードＢ１００５に関連付けられたローカルゲートウェイのネットワークアドレスと、支援ｅノードＢに関連付けられたローカルゲートウェイのネットワークアドレスの両方を含み得る。
【０１４３】
[0159]いくつかの例において、ＳＩＰＴＯモジュール１０３０は、支援ｅノードＢにおいてＳＩＰＴＯ  ＰＤＮ接続を再確立することを優先して、アンカーｅノードＢ１００５においてＳＩＰＴＯ  ＰＤＮ接続を非アクティブ化するように構成され得る。たとえば、ＳＩＰＴＯモジュール１０３０は、ＵＥと支援ｅノードＢとの間に接続が存在する、またはＵＥと支援ｅノードＢとの間の接続を確立するための要求が送信されたと決定したことに応答して、アンカーｅノードＢ１００５においてＳＩＰＴＯ  ＰＤＮ接続を非アクティブ化し得る。追加または代替として、ＳＩＰＴＯモジュール１０３０は、ＵＥの場所における決定された変化に応答して、アンカーｅノードＢ１００５においてＳＩＰＴＯ  ＰＤＮ接続を非アクティブ化し得る。
【０１４４】
[0160]ＳＩＰＴＯ  ＰＤＮ接続を非アクティブ化するための手順の一部として、ＳＩＰＴＯモジュール１０３０は、アンカーｅノードＢ１００５に、ベアラ非アクティブ化要求メッセージを（たとえば、ＵＥへ）送信さ得る。ベアラ非アクティブ化要求メッセージはＳＩＰＴＯ  ＰＤＮ接続に対する再アクティブ化が要求されることを示し得、これは、図８〜図９を参照して上述した原理と一貫性がある。いくつかの例において、アンカーｅノードＢ１００５は、Ｓ１を介してモビリティ管理エンティティに送られるＥ−ＲＡＢ解放指示メッセージによりＳＩＰＴＯ  ＰＤＮ接続を非アクティブ化し得る。追加または代替として、アンカーｅノードＢ１００５は、アンカーｅノードＢ１００５のローカルゲートウェイによってＳ５を介してコアネットワークのサービングゲートウェイに送られるベアラ削除要求メッセージによりＳＩＰＴＯ  ＰＤＮ接続を非アクティブ化し得る。
【０１４５】
[0161]支援ｅノードＢのローカルゲートウェイのネットワークアドレスをモビリティ管理エンティティにフォワーディングすること、および／またはアンカーｅノードＢ１００５のＳＩＰＴＯ  ＰＤＮ接続を確立し非アクティブ化することに加え、ＳＩＰＴＯモジュール１０３０は、支援ｅノードＢのローカルゲートウェイにおいてＳＩＰＴＯ  ＰＤＮ接続を確立し得る。上述したように、支援ｅノードＢのローカルゲートウェイにおいて確立されたＳＩＰＴＯ  ＰＤＮ接続は、アンカーｅノードＢ１００５または異なる支援ｅノードＢのＳＩＰＴＯ  ＰＤＮ接続と置き換わり得る。代替として、ローカルゲートウェイにおいて確立されたＳＩＰＴＯ  ＰＤＮ接続は、ＵＥ９１５によって要求された新規ＰＤＮ接続であり得る。
【０１４６】
[0162]アンカーｅノードＢ１００５のＳＩＰＴＯモジュール１０３０は、ＵＥのためのベアラを確立するための要求を受信すること、要求が、支援ｅノードＢにおいてＵＥのためのＳＩＰＴＯ  ＰＤＮ接続に関連付けられたベアラを確立するためのものであるかどうか決定すること、要求が支援ｅノードＢにおいてＵＥのためのＳＩＰＴＯ接続に関連付けられているという決定に応答してベアラを確立するために支援ｅノードＢと通信すること、およびＵＥとのＳＩＰＴＯ  ＰＤＮ接続に対応する無線ベアラを確立することによって、支援ｅノードＢのローカルゲートウェイにおいてＳＩＰＴＯ  ＰＤＮ接続を確立し得る。
【０１４７】
[0163]いくつかの例において、ＵＥのためのベアラを確立するための要求は、モビリティ管理エンティティによって（たとえば、Ｓ１インターフェースを介して）、Ｅ−ＲＡＢベアラを確立するために与えられ得る。いくつかの例において、ＳＩＰＴＯモジュール１０３０は、要求されたベアラを、支援ｅノードＢのローカルゲートウェイとサービングゲートウェイとの間で確立されたＳ５ベアラおよび／またはＥＰＳベアラに相関させる識別子（たとえば、図６〜図７を参照して上述した相関ＩＤ）を要求が含むかどうか決定することによって、要求が支援ｅノードＢにおけるＵＥのためのＳＩＰＴＯ  ＰＤＮ接続に関連付けられているかどうか決定し得る。いくつかの例において、アンカーｅノードＢ１００５は、要求されたベアラを確立するために、支援ｅノードＢとの通信中に（たとえば、Ｘ２インターフェースを介して）、識別子を支援ｅノードＢに送信する。
【０１４８】
[0164]追加または代替の例において、ＳＩＰＴＯモジュール１０３０は、支援ｅノードＢのローカルゲートウェイのネットワークアドレスがＵＥについてのＳＩＰＴＯアドレスとしてモビリティ管理エンティティに送られたかどうか決定することによって、要求が支援ｅノードＢにおけるＵＥのためのＳＩＰＴＯ  ＰＤＮ接続に関連付けられていると決定し得る。
【０１４９】
[0165]いくつかの例において、アンカーｅノードＢ１００５は、ＳＩＰＴＯ  ＰＤＮ接続に対応する無線ベアラが、受信された無線ベアラ構成パラメータに少なくとも部分的に基づいて確立されるように、支援ｅノードＢから無線ベアラ構成パラメータを受信し得る。追加または代替として、アンカーｅノードＢ１００５は、ＳＩＰＴＯ  ＰＤＮ接続に対応する無線ベアラを確立するために、無線ベアラ構成パラメータを支援ｅノードＢに送信し得る。
【０１５０】
[0166]図１１は、本開示の一態様による、支援ｅノードＢ１１０５の一例を概念的に示すブロック図である。支援ｅノードＢ１１０５は、前の図を参照しながら上で説明したｅノードＢ１０５、２０５、４０５、５０５、６０５、７０５、８０５、９０５、１００５のうちの１つまたは複数の一例であり得る。
【０１５１】
[0167]図１１の支援ｅノードＢ１１０５は、プロセッサ１１１０と、メモリ１１１５と、ベアラ要求受信モジュール１１２０と、ベアラ要求分析モジュール１１２５と、ベアラ構成モジュール１１３０と、ＳＩＰＴＯモジュール１１３５と、ＷＷＡＮ無線機１１５０と、バックホール／コアネットワークインターフェース１１５５とを含み得る。これらの構成要素の各々は直接または間接的に通信し得る。
【０１５２】
[0168]プロセッサ１１１０は、ベアラ要求受信モジュール１１２０、ベアラ要求分析モジュール１１２５、ベアラ構成モジュール１１３０、ＳＩＰＴＯモジュール１１３５、ＷＷＡＮ無線機１１５０、および／またはバックホール／コアネットワークインターフェース１１５５の１つまたは複数の態様を実装するための、メモリ１１１５によって記憶されたコンピュータ可読プログラムコードを実行するように構成され得る。プロセッサ１１１０は、アプリケーション１１１７を実行するための、メモリ１１１５によって記憶されたコンピュータ可読プログラムコードを実行することもできる。
【０１５３】
[0169]ベアラ要求受信モジュール１１２０は、アンカーｅノードＢから（たとえば、バックホール／コアネットワークインターフェース１１５５のＸ２インターフェースを介して）、ＵＥのためのベアラを確立するための要求を受信するように構成され得る。ベアラ要求分析モジュール１１２５は、要求または要求されたベアラが支援ｅノードＢ１１０５におけるＵＥのためのＳＩＰＴＯ  ＰＤＮ接続に関連付けられているか決定し得る。いくつかの例において、この決定は、受信された要求が、要求されたベアラを、支援ｅノードＢ１１０５のローカルゲートウェイとサービングゲートウェイとの間に確立されたＳ５ベアラおよび／またはＥＰＳベアラに相関させる識別子（たとえば、図６〜図７を参照して上述した相関ＩＤ）を含むかどうか決定することを含み得る。
【０１５４】
[0170]ベアラ構成モジュール１１３０は、要求または要求されたベアラがＳＩＰＴＯ  ＰＤＮ接続に関連付けられているという決定に少なくとも部分的に基づいて、要求されたベアラを支援ｅノードＢ１１０５において確立してよい。ベアラ構成モジュール１１３０は、ＵＥのためのＳＩＰＴＯ  ＰＤＮ接続に対応する無線ベアラ構成パラメータを決定し得る。いくつかの例において、無線ベアラ構成パラメータの一部または全部はアンカーｅノードＢから受信され得る。追加または代替として、ベアラ構成モジュールは、決定された無線ベアラ構成パラメータを、無線ベアラをセットアップするためにアンカーｅノードＢに送信し得る。
【０１５５】
[0171]ＳＩＰＴＯモジュール１１３５は、ＵＥのためのＰＤＮ接続に関連付けられたＳＩＰＴＯネットワークトラフィックを、支援ｅノードＢ１１０５のローカルゲートウェイに搬送してよい。いくつかの例において、ＳＩＰＴＯモジュール１１３５は、支援ｅノードＢ１１０５においてＳＩＰＴＯ  ＰＤＮ接続を非アクティブ化するようにさらに構成され得る。ＳＩＰＴＯ  ＰＤＮ接続の非アクティブ化は、たとえば、ＵＥの接続状況の変化、ＵＥの場所の変化、または支援ｅノードＢ１１０５におけるＳＩＰＴＯスケジューリングの変化のうちの少なくとも１つに応答して起こり得る。いくつかの例において、ＳＩＰＴＯ  ＰＤＮ接続は、Ｘ２インターフェースを介してアンカーｅノードＢにＥ−ＲＡＢ解放指示要求を送信することによって非アクティブ化され得る。追加または代替として、ＳＩＰＴＯ  ＰＤＮ接続は、ベアラ削除要求メッセージを、Ｓ５インターフェースを介して支援ｅノードＢのローカルゲートウェイからサービングゲートウェイに送信することによって非アクティブ化され得る。いくつかの例において、ベアラ削除要求メッセージは、ベアラ再アクティブ化についての要求を含み得る。追加または代替として、ＳＩＰＴＯ  ＰＤＮ接続は、支援ｅノードＢ１１０５においてアンカーｅノードＢから非アクティブ化要求を受信し、支援ｅノードＢ１１０５からアンカーｅノードＢに非アクティブ化状況を送信することによって非アクティブ化され得る。
【０１５６】
[0172]図１２は、本開示の一態様による、モビリティ管理エンティティ（ＭＭＥ）１２４５の一例を概念的に示すブロック図である。モビリティ管理エンティティ１２４５は、前の図を参照しながら上で説明したモビリティ管理エンティティ５４５、６４５、７４５、８４５、９４５のうちの１つまたは複数の一例であり得る。
【０１５７】
[0173]図１２のモビリティ管理エンティティ１２４５は、プロセッサ１２１０と、メモリ１２１５と、接続確立モジュール１２２０と、ＳＩＰＴＯモジュール１２２５と、ローカルゲートウェイアドレス決定モジュール１２３０と、ローカルゲートウェイ選択モジュール１２３５と、ｅノードＢインターフェース１２６０と、サービングゲートウェイインターフェース１２６５とを含み得る。これらの構成要素の各々は直接または間接的に通信し得る。
【０１５８】
[0174]プロセッサ１２１０は、接続確立モジュール１２２０、ＳＩＰＴＯモジュール１２２５、ローカルゲートウェイアドレス決定モジュール１２３０、ローカルゲートウェイ選択モジュール１２３５、ｅノードＢインターフェース１２６０、および／またはサービングゲートウェイインターフェース１２６５の１つまたは複数の態様を実装するための、メモリ１２１５によって記憶されたコンピュータ可読プログラムコードを実行するように構成され得る。プロセッサ１２１０は、アプリケーション１２１７を実行するための、メモリ１２１５によって記憶されたコンピュータ可読プログラムコードを実行し得る。
【０１５９】
[0175]接続確立モジュール１２２０は、ＵＥのためのＰＤＮ接続を確立するための要求をｅノードＢから受信するように構成され得る。ＳＩＰＴＯモジュール１２２５は、ＵＥについての記憶された加入情報のセットに基づいて、ＳＩＰＴＯがＵＥ用に許可されるかどうか決定するように構成され得る。ＵＥについての記憶された加入情報は、たとえば、モビリティ管理エンティティ１２４５に関連付けられたホーム加入者サーバ（ＨＳＳ）から受信され得る。
【０１６０】
[0176]ローカルゲートウェイアドレス決定モジュール１２３０は、第１のｅノードＢに関連付けられた第１のローカルゲートウェイの第１のネットワークアドレスと第２のｅノードＢに関連付けられた第２のローカルゲートウェイの第２のネットワークアドレスとを決定するように構成され得る。ネットワークアドレスは、ｅノードＢ、ＯＡＭサーバのうちの１つから受信され、および／またはモビリティ管理エンティティ１２４５によって別の方法で確かめられ得る。いくつかの例において、モビリティ管理エンティティ１２４５は、第１のローカルゲートウェイの第１のネットワークアドレスと第２のローカルゲートウェイの第２のネットワークアドレスとを含む、利用可能なＳＩＰＴＯネットワークアドレスのリストを、ｅノードＢのうちの１つから受信し得る。追加または代替として、ネットワークアドレスは、ＵＥについての加入情報、ネットワークポリシー、および／またはネットワークアドレスのタイプに基づいて決定され得る。ローカルゲートウェイ選択モジュール１２３５は、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択し得る。選択は、モビリティ管理エンティティ１２４５において、および／もしくは要求されたローカルゲートウェイによって強制されるポリシー、またはｅノードＢのうちの１つもしくは複数から受信された他の入力に少なくとも部分的に基づき得る。
【０１６１】
[0177]いくつかの例において、ＳＩＰＴＯモジュール１２２５は、ＵＥが第２のｅノードＢに接続した、またはＵＥと第２のｅノードＢとの間の接続を確立するための要求が送信されたと決定したことに応答して、ＵＥの少なくとも１つの他のＳＩＰＴＯ  ＰＤＮ接続を非アクティブ化するようにさらに構成され得る。ＳＩＰＴＯモジュール１２２５によって非アクティブ化された少なくとも１つの他のＰＤＮ接続は、第１のｅノードＢに関連付けられた第１のローカルゲートウェイまたは第３のｅノードＢに関連付けられた第３のローカルゲートウェイを通してルーティングされ得る。
【０１６２】
[0178]図１３は、本開示の一態様による、ワイヤレス通信の方法１３００の一例を概念的に示すフローチャートである。具体的には、図１３は、第１のｅノードＢにおいて第２のｅノードＢ向けのＳＩＰＴＯをセットアップする方法１３００を示す。方法１３００は、前の図を参照して上で説明したワイヤレス通信システム１００、２００、４００、５００、６００、７００、８００、９００のうちの１つまたは複数において実装され得る。特に、方法１３００は、前の図を参照して上で説明したｅノードＢ１０５、２０５、４０５、５０５、６０５、７０５、８０５、９０５、１００５、１１０５のうちの１つまたは複数によって実施され得る。
【０１６３】
[0179]ブロック１３０５において、第１のｅノードＢとＵＥとの間で接続が確立され得る。いくつかの例において、第１のｅノードＢはＵＥのためのアンカーｅノードＢであり得る。ブロック１３１０において、ＵＥと第２のｅノードＢとの間に接続が存在するのか、それとも保留中であるのかについての決定が行われ得る。いくつかの例において、第２のｅノードＢはＵＥのための支援ｅノードＢであり得る。ブロック１３１５において、第１のｅノードＢからモビリティ管理エンティティにメッセージが送信され得る。このメッセージは、第２のｅノードＢのローカルゲートウェイについてのネットワークアドレスをＵＥのためのＳＩＰＴＯ接続性に関連付けることができる。いくつかの例において、メッセージは、第２のｅノードＢのローカルゲートウェイについてのネットワークアドレスをモビリティ管理エンティティにフォワーディングし得る。モビリティ管理エンティティは次いで、第２のｅノードＢのローカルゲートウェイについてのネットワークアドレスを、ＵＥのためのＳＩＰＴＯ  ＰＤＮ接続をセットアップするのに使い得る。
【０１６４】
[0180]図１４は、本開示の一態様による、ワイヤレス通信の方法１４００の一例を概念的に示すフローチャートである。具体的には、図１４は、第１のｅノードＢにおいて第２のｅノードＢ向けのＳＩＰＴＯをセットアップする方法１４００を示す。方法１４００は、前の図を参照して上で説明したワイヤレス通信システム１００、２００、４００、５００、６００、７００、８００、９００のうちの１つまたは複数において実装され得る。特に、方法１４００は、前の図を参照して上で説明したｅノードＢ１０５、２０５、４０５、５０５、６０５、７０５、８０５、９０５、１００５、１１０５のうちの１つまたは複数によって実施され得る。
【０１６５】
[0181]ブロック１４０５において、ＵＥのためのベアラを確立するための要求が、第１のｅノードＢにおいて受信され得る。いくつかの例において、第１のｅノードＢはＵＥのためのアンカーｅノードＢであり得る。ブロック１４１０において、要求または要求されたベアラが、第２のｅノードＢにおけるＵＥのためのＳＩＰＴＯ  ＰＤＮ接続に関連付けられるかについての決定が行われ得る。いくつかの例において、第２のｅノードＢはＵＥのための支援ｅノードＢであり得る。ブロック１４１５において、第１のｅノードＢは、要求されたベアラが第２のｅノードＢにおけるＵＥのためのＳＩＰＴＯ  ＰＤＮ接続に関連付けられているという決定に応答して、ベアラを確立するために第２のｅノードＢと通信し鵜得る。ブロック１４２０において、ＵＥとのＳＩＰＴＯ  ＰＤＮ接続に対応する無線ベアラが確立され得る。
【０１６６】
[0182]図１５は、本開示の一態様による、ワイヤレス通信の方法１５００の一例を概念的に示すフローチャートである。具体的には、図１５は、第１のｅノードＢとの通信に基づいて、第２のｅノードＢにおいてＳＩＰＴＯをセットアップする方法１５００を示す。方法１５００は、前の図を参照して上で説明したワイヤレス通信システム１００、２００、４００、５００、６００、７００、８００、９００のうちの１つまたは複数において実装され得る。特に、方法１５００は、前の図を参照して上で説明したｅノードＢ１０５、２０５、４０５、５０５、６０５、７０５、８０５、９０５、１００５、１１０５のうちの１つまたは複数によって実施され得る。
【０１６７】
[0183]ブロック１５０５において、第２のｅノードＢが、ＵＥのためのベアラを確立するための要求を第１のｅノードＢから受信し得る。いくつかの例において、第１のｅノードＢはＵＥのためのアンカーｅノードＢであってよく、第２のｅノードＢはＵＥのための支援ｅノードＢであってよい。ブロック１５１０において、要求されたベアラがＵＥのためのＳＩＰＴＯ  ＰＤＮ接続に関連付けられるかどうかについての決定が、第２のｅノードＢにおいて行われ得る。ブロック１５１５において、要求または要求されたベアラがＳＩＰＴＯ  ＰＤＮ接続に関連付けられるという決定に少なくとも部分的に基づいて、要求されたベアラが第２のｅノードＢにおいて確立され得る。ブロック１５２０において、第２のｅノードＢは、ＵＥとのＳＩＰＴＯ  ＰＤＮ接続に対応する無線ベアラ構成パラメータを決定することができる。ブロック１５２５において、第２のｅノードＢは、ＵＥのためのＳＩＰＴＯ  ＰＤＮ接続に関連付けられた、オフロードされたネットワークトラフィックを第２のｅノードＢのローカルゲートウェイに搬送し得る。
【０１６８】
[0184]図１６は、本開示のいくつかの態様による、ワイヤレス通信ネットワークの一例を概念的に示すブロック図である。具体的には、図１６は、モビリティ管理エンティティによってＳＩＰＴＯをセットアップする方法１６００を示す。方法１６００は、前の図を参照して上で説明したワイヤレス通信システム１００、２００、４００、５００、６００、７００、８００、９００のうちの１つまたは複数において実装され得る。特に、方法１６００は、前の図を参照して上で説明したモビリティ管理エンティティ５４５、６４５、７４５、８４５、９４５、１２４５のうちの１つまたは複数によって実施され得る。
【０１６９】
[0185]ブロック１６０５において、ＵＥのためのＰＤＮ接続を確立するための要求が、モビリティ管理エンティティにおいて受信され得る。ブロック１６１０において、モビリティ管理エンティティは、ＵＥについての記憶された加入情報のセットに基づいて、ＵＥにおいて、要求されたＰＤＮ接続に対してＳＩＰＴＯが許可されるかどうか決定し得る。ブロック１６１５において、モビリティ管理エンティティは、第１のｅノードＢに関連付けられた第１のローカルゲートウェイの第１のネットワークアドレスと第２のｅノードＢに関連付けられた第２のローカルゲートウェイの第２のネットワークアドレスとを決定し得る。いくつかの例において、ｅノードＢのうちの１つはＵＥのためのアンカーｅノードＢであってよく、ｅノードＢのうちのもう１つはＵＥのための支援ｅノードＢであってよい。ブロック１６２０において、モビリティ管理エンティティは、ＳＩＰＴＯがＵＥについて許可されるという決定に応答して、ＰＤＮ接続のためのＳＩＰＴＯを実装するための、第１のローカルゲートウェイまたは第２のローカルゲートウェイのうちの１つを選択し得る。
【０１７０】
[0186]添付の図面に関連して上記に記載された発明を実施するための形態は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１７１】
[0187]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１７２】
[0188]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１７３】
[0189]本明細書で説明された機能は、ハードウェア、プロセッサによって実行されるソフトウェア、ファームウェア、またはそれらの任意の組合せで実現され得る。プロセッサによって実行されるソフトウェアに実装される場合、機能は、コンピュータ可読媒体上の１つまたは複数の命令またはコードとして上に記憶されるか、または介して送信される場合がある。他の例および実装形態は、本開示および添付の特許請求の範囲内および趣旨内にある。たとえば、ソフトウェアの性質により、上述した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１７４】
[0190]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−Ｒａｙ（登録商標）ディスク（disc）を含み、ディスク（disk）は通常、データを磁気的に再生し、ディスク（disc）はデータをレーザーで光学的に再生する。上記の組合せもコンピュータ可読媒体の範囲内に含まれる。
【０１７５】
[0191]本開示についてのこれまでの説明は、当業者が本開示を構成または使用することができるように与えられている。本開示への様々な修正は当業者には容易に明らかであり、本明細書で定義された一般原理は、本開示の趣旨または範囲から逸脱することなく、他の変形形態に適用される場合がある。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示される原理および新規の特徴に合致する最も広い範囲を与えられるべきである。
以下に、出願当初の特許請求の範囲に記載された発明を付記する。
［Ｃ１］ワイヤレス通信の方法であって、
第１のｅノードＢとユーザ機器（ＵＥ）との間の接続を確立することと、
前記ＵＥと第２のｅノードＢとの間に接続が存在するのか、それとも保留中であるのかを決定することと、
前記第２のｅノードＢのローカルゲートウェイについてのネットワークアドレスを、前記ＵＥのための選択されたインターネットプロトコルトラフィックオフロード（ＳＩＰＴＯ）接続性に関連付けるメッセージをモビリティ管理エンティティ（ＭＭＥ）に送信することと、
を備える方法。
［Ｃ２］前記第２のｅノードＢに関連付けられた前記ローカルゲートウェイの前記ネットワークアドレスは、Ｓ１メッセージにより前記モビリティ管理エンティティにフォワーディングされる、Ｃ１に記載の方法。
［Ｃ３］前記第１のｅノードＢに関連付けられたローカルゲートウェイのネットワークアドレスを、前記Ｓ１メッセージのゲートウェイのトランスポートレイヤアドレスの情報要素中の、前記第２のｅノードＢに関連付けられた前記ローカルゲートウェイの前記ネットワークアドレスで置き換えることをさらに備える、Ｃ２に記載の方法。
［Ｃ４］前記Ｓ１メッセージは、前記第１のｅノードＢに関連付けられたローカルゲートウェイのネットワークアドレスをさらに備える、Ｃ２に記載の方法。
［Ｃ５］前記第１のｅノードＢにおいてＳＩＰＴＯパケットデータネットワーク（ＰＤＮ）接続を非アクティブ化することをさらに備える、Ｃ１に記載の方法。
［Ｃ６］前記ＳＩＰＴＯ  ＰＤＮ接続は、前記ＵＥと前記第２のｅノードＢとの間に接続が存在すると決定したことに応答して非アクティブ化される、Ｃ５に記載の方法。
［Ｃ７］前記第１のｅノードＢにおける前記ＳＩＰＴＯ  ＰＤＮ接続の前記非アクティブ化は、前記ＵＥの場所の変化に応答する、Ｃ５に記載の方法。
［Ｃ８］前記ＳＩＰＴＯ  ＰＤＮ接続を非アクティブ化することに関連して、ベアラ非アクティブ化要求メッセージを送信し、ここにおいて、前記ベアラ非アクティブ化要求メッセージは再アクティブ化要求を備えることをさらに備える、Ｃ５に記載の方法。
［Ｃ９］前記ＳＩＰＴＯ  ＰＤＮ接続は、Ｓ１インターフェースを介して送信されるＥ−ＲＡＢ解放メッセージにより非アクティブ化される、Ｃ５に記載の方法。
［Ｃ１０］前記ＳＩＰＴＯ  ＰＤＮ接続は、Ｓ５インターフェースを介して送信されるベアラ削除要求メッセージにより非アクティブ化される、Ｃ５に記載の方法。
［Ｃ１１］ワイヤレス通信を管理する方法であって、
モビリティ管理エンティティ（ＭＭＥ）において、ユーザ機器（ＵＥ）のためのパケットデータネットワーク（ＰＤＮ）接続を確立するための要求を受信することと、
前記ＵＥについての記憶された加入情報のセットに基づいて、選択されたインターネットプロトコルトラフィックオフロード（ＳＩＰＴＯ）が前記ＵＥについて許可されるかどうか決定することと、
第１のｅノードＢに関連付けられた第１のローカルゲートウェイの第１のネットワークアドレスと第２のｅノードＢに関連付けられた第２のローカルゲートウェイの第２のネットワークアドレスとを決定することと、
前記ＳＩＰＴＯが前記ＵＥについて許可されるという前記決定に応答して、前記ＰＤＮ接続用の前記ＳＩＰＴＯを実装するための、前記第１のローカルゲートウェイまたは前記第２のローカルゲートウェイのうちの１つを選択することと、
を備える方法。
［Ｃ１２］前記ＵＥが前記第２のｅノードＢに接続したと決定したことに応答して、前記ＵＥの少なくとも１つの他のＳＩＰＴＯ  ＰＤＮ接続を非アクティブ化することをさらに備える、Ｃ１１に記載の方法。
［Ｃ１３］前記ＵＥの前記少なくとも１つの他のＳＩＰＴＯ  ＰＤＮ接続は、前記第１のローカルゲートウェイまたは第３のｅノードＢに関連付けられた第３のローカルゲートウェイのうちの１つを通してルーティングされる、Ｃ１２に記載の方法。
［Ｃ１４］前記第１のｅノードＢまたは前記第２のｅノードＢのうちの１つから、利用可能なＳＩＰＴＯネットワークアドレスのリストを受信することをさらに備え、
ここにおいて、利用可能なＳＩＰＴＯネットワークアドレスの前記リストは、前記第１のネットワークアドレスと前記第２のネットワークアドレスとを備える、
Ｃ１１に記載の方法。
［Ｃ１５］前記第１のローカルゲートウェイおよび前記第２のローカルゲートウェイについての前記ネットワークアドレスを決定することは、前記ＵＥについての加入情報、ネットワークポリシーまたはネットワークアドレスのタイプのうちの少なくとも１つにさらに基づく、Ｃ１１に記載の方法。
［Ｃ１６］ワイヤレス通信を管理する方法であって、
第１のｅノードＢにおいて、ユーザ機器（ＵＥ）のためのベアラを確立するための要求を受信することと、
前記要求が、第２のｅノードＢにおける前記ＵＥのための選択されたインターネットプロトコルトラフィックオフロード（ＳＩＰＴＯ）パケットデータネットワーク（ＰＤＮ）接続に関連付けられているかどうか決定することと、
前記要求が前記第２のｅノードＢにおける前記ＵＥのための前記ＳＩＰＴＯ  ＰＤＮ接続に関連付けられているという前記決定に応答して、前記ベアラを確立するために前記第２のｅノードＢと通信することと、
前記ＵＥとの前記ＳＩＰＴＯ  ＰＤＮ接続に対応する無線ベアラを確立することと、
を備える方法。
［Ｃ１７］前記ＵＥのための前記ベアラを確立するための前記要求は、モビリティ管理エンティティ（ＭＭＥ）によってＥ−ＲＡＢベアラを確立するために与えられる、Ｃ１６に記載の方法。
［Ｃ１８］前記要求が前記第２のｅノードＢにおける前記ＵＥのための前記ＳＩＰＴＯ  ＰＤＮ接続に関連付けられているかどうか決定することは、
前記要求が、前記ベアラをＳ５ベアラと相関させる識別子を含むかどうか決定し、ここにおいて前記Ｓ５ベアラは、前記第２のｅノードＢのローカルゲートウェイとサービングゲートウェイとの間で確立されることを備える、Ｃ１６に記載の方法。
［Ｃ１９］前記第１のｅノードＢは、前記ベアラを確立するための前記第２のｅノードＢとの前記通信中に、前記識別子を前記第２のｅノードＢに送信する、Ｃ１８に記載の方法。
［Ｃ２０］前記要求が前記第２のｅノードＢにおける前記ＵＥのための前記ＳＩＰＴＯ  ＰＤＮ接続に関連付けられているかどうか決定することは、
前記第２のｅノードＢのローカルゲートウェイのネットワークアドレスがモビリティ管理エンティティ（ＭＭＥ）に送られるかどうか決定することを備える、Ｃ１６に記載の方法。
［Ｃ２１］ワイヤレス通信の方法であって、
第２のｅノードＢにおいて、ＵＥのためのベアラを確立するための要求を第１のｅノードＢから受信することと、
前記要求が、前記第２のｅノードＢにおける前記ＵＥのための選択されたインターネットプロトコルトラフィックオフロード（ＳＩＰＴＯ）パケットデータネットワーク（ＰＤＮ）接続に関連付けられているかどうか決定することと、
前記要求が前記ＳＩＰＴＯ  ＰＤＮ接続に関連付けられているという前記決定に少なくとも部分的に基づいて、前記第２のｅノードＢにおいて前記ベアラを確立することと、
前記ＵＥのための前記ＳＩＰＴＯ  ＰＤＮ接続に対応する無線ベアラ構成パラメータを決定することと、
前記ＵＥのための前記ＳＩＰＴＯ  ＰＤＮ接続に関連付けられた、オフロードされたネットワークトラフィックを前記第２のｅノードＢのローカルゲートウェイに搬送することと、
を備える方法。
［Ｃ２２］前記要求が前記第２のｅノードＢにおける前記ＵＥのための前記ＳＩＰＴＯ  ＰＤＮ接続に関連付けられているかどうか決定することは、
前記要求が、前記ベアラをＳ５ベアラと相関させる識別子を含むかどうか決定し、ここにおいて前記Ｓ５ベアラは、前記第２のｅノードＢのローカルゲートウェイとサービングゲートウェイとの間で確立されることを備える、Ｃ２１に記載の方法。
［Ｃ２３］前記無線ベアラ構成パラメータを決定することは、前記第１のｅノードＢから前記無線ベアラ構成パラメータを受信することを備える、Ｃ２１に記載の方法。
［Ｃ２４］前記無線ベアラ構成パラメータを前記第１のｅノードＢに送信することをさらに備える、Ｃ２１に記載の方法。
［Ｃ２５］前記第２のｅノードＢにおいて前記ＳＩＰＴＯ  ＰＤＮ接続を非アクティブ化することをさらに備える、Ｃ２１に記載の方法。
［Ｃ２６］前記第２のｅノードＢにおける前記ＳＩＰＴＯ  ＰＤＮ接続は、前記ＵＥの接続状況の変化、前記ＵＥの場所の変化、または前記第２のｅノードＢにおけるＳＩＰＴＯスケジューリングの変化のうちの少なくとも１つに応答して非アクティブ化される、Ｃ２５に記載の方法。
［Ｃ２７］前記ＳＩＰＴＯ  ＰＤＮ接続は、
Ｘ２インターフェースを介して前記第１のｅノードＢにＥ−ＲＡＢ解放指示要求メッセージを送信することによって非アクティブ化される、Ｃ２５に記載の方法。
［Ｃ２８］前記ＳＩＰＴＯ  ＰＤＮ接続は、前記第２のｅノードＢのローカルゲートウェイからサービングゲートウェイに、Ｓ５インターフェースを介してベアラ削除要求メッセージを送信することによって非アクティブ化される、Ｃ２５に記載の方法。
［Ｃ２９］前記ベアラ削除要求メッセージはベアラ再アクティブ化についての要求を備える、Ｃ２８に記載の方法。
［Ｃ３０］前記ＳＩＰＴＯ  ＰＤＮ接続は、
前記第２のｅノードＢにおいて、前記第１のｅノードＢから非アクティブ化要求を受信すること、および
前記第２のｅノードＢから前記第１のｅノードＢに非アクティブ化状況を送信することによって非アクティブ化される、Ｃ２５に記載の方法。
【図１】
0006285026.tif 000002
【図２】
0006285026.tif 000003
【図３Ａ】
0006285026.tif 000004
【図３Ｂ】
0006285026.tif 000005
【図４】
0006285026.tif 000006
【図５Ａ】
0006285026.tif 000007
【図５Ｂ】
0006285026.tif 000008
【図６】
0006285026.tif 000009
【図７】
0006285026.tif 000010
【図８】
0006285026.tif 000011
【図９】
0006285026.tif 000012
【図１０】
0006285026.tif 000013
【図１１】
0006285026.tif 000014
【図１２】
0006285026.tif 000015
【図１３】
0006285026.tif 000016
【図１４】
0006285026.tif 000017
【図１５】
0006285026.tif 000018
【図１６】
0006285026.tif 000019